(57)【要約】  ワイヤレスアクセスネットワーク（ＡＮ）のワイヤレスアクセスポイント（ＡＰ）間でバックホールシグナリングを利用して干渉低減および／または回避を行うことについて本明細書で説明する。例として、隣接ＡＰによる順方向リンク（ＦＬ）および／またはダウンリンク（ＤＬ）送信に対する信号干渉を低減するために、ＡＰによって干渉回避要求（ＩＡＲ）を発行することができる。ＩＡＲは、バックホールネットワークを介して、および／またはＡＰあるいは１つまたは複数の干渉ＡＰに結合されたアクセス端末（ＡＴ）を介して無線でルーティングできる。ＩＡＲを受信すると、干渉ＡＰは、ＦＬおよび／またはＲＬ送信のための低減された送信電力レベルを判定し、ＩＡＲに応答することができる。低減された電力レベルを応答に含め、バックホールネットワークを介してまたはＯＴＡで応答を送信することができる。全体的にまたは部分的にバックホールネットワークを使用することによって、バックホールによって結合された未完の計画または無計画異種ネットワークに対しても干渉回避を行うことができる。
2011512083.tif 000002
【特許請求の範囲】
【請求項１】
モバイルアクセスネットワーク（ＡＮ）の干渉を管理する方法であって、
モバイルＡＮのセルの順方向リンク（ＦＬ）または逆方向リンク（ＲＬ）上での干渉を識別することと、
干渉通信を円滑にするために少なくとも部分的にアクセスポイント（ＡＰ）バックホールネットワークを使用することと、
を備え、前記通信は、前記セルの変更送信電力または明示的干渉低減要求を備える、
方法。
【請求項２】
前記要求に従うかまたは従わないことを円滑にする優先順位基準、
干渉低減の利益を受けるように意図されたアクセス端末（ＡＴ）のＩＤ、
ＦＬ送信電力の所望の低減、
所望の最大ＦＬ送信電力、
ＲＬ送信電力の所望の低減、
所望のＲＬ干渉レベル、または
干渉低減のためのＦＬまたはＲＬリソースのセット、
のうちの少なくとも１つを前記要求に含むことをさらに備える、請求項１に記載の方法。
【請求項３】
前記要求への応答を受信することをさらに備え、前記応答は、送信電力コミットメントを示す、
請求項１に記載の方法。
【請求項４】
前記応答を受信することは、前記バックホールネットワークを介して隣接セルと通信することをさらに備える、
請求項３に記載の方法。
【請求項５】
前記応答を受信することは、隣接セルによってサービスされるＡＴから無線（ＯＴＡ）で電力決定パイロットを取得することをさらに備える、
請求項３に記載の方法。
【請求項６】
前記セルによってサービスされるＡＴ、または
前記セルに関連するＡＰ、
のうちの少なくとも１つの送信電力を計算するために前記送信電力コミットメントを使用することをさらに備える、請求項３に記載の方法。
【請求項７】
ＦＬ干渉を観測するＡＴにチャネル品質インジケータを要求することと、
前記要求に応答して隣接セルによって与えられた干渉コミットメントに対応する前記ＡＴの信号対雑音比（ＳＮＲ）を判定するために前記チャネル品質インジケータを使用することと、
前記ＳＮＲに少なくとも部分的に基づいて前記セルの前記変更送信電力を判定することと、
をさらに備える、請求項１に記載の方法。
【請求項８】
前記セルによってサービスされるＡＴからワイヤレス通信品質報告を取得することをさらに備え、前記品質報告は、
隣接セルのセルＩＤ、
前記ＡＴにおいて観測される前記隣接セルの信号強度、または
前記隣接セルが低リソース再使用プリアンブル（ＬＲＰ）を使用するかどうか、
のうちの少なくとも１つを備える、請求項１に記載の方法。
【請求項９】
前記隣接セルを前記ＡＴのための干渉の有意のリソースとして識別するために前記品質報告を使用することをさらに備える、
請求項８に記載の方法。
【請求項１０】
前記品質報告を取得することは、
前記ＡＴから周期的品質報告更新を受信すること、
前記ＡＴから散発性品質報告更新を受信すること、
前記品質報告を引き出すためにＯＴＡメッセージを前記ＡＴに送信すること、または
前記隣接セルによってサービスされるＡＴから第２の品質報告を引き出すためにバックホールメッセージを前記隣接セルに送信すること、
のうちの少なくとも１つをさらに備える、請求項８に記載の方法。
【請求項１１】
前記要求を送信することは、所望のＩＯＴレベルと比較して、観測された干渉対熱比（ＩＯＴ）レベルを与えることをさらに備える、
請求項１に記載の方法。
【請求項１２】
前記ＩＡＲへの前記応答を受信することは、累積ＦＬまたはＲＬ干渉の指示を取得することをさらに備える、
請求項３に記載の方法。
【請求項１３】
前記セルによってサービスされるＡＴにパケット形式および終了ターゲットを割り当てるために前記累積ＦＬまたはＲＬ干渉を使用することをさらに備える、
請求項１２に記載の方法。
【請求項１４】
前記要求に応答して干渉ＡＴから隣接セルのＲＬ送信電力レベルを取得することと、
前記ＲＬ送信電力レベルに基づいて、電力密度プロファイルまたは前記セルにおいて観測される予想ＳＮＲを計算することと、
をさらに備える、請求項１に記載の方法。
【請求項１５】
前記電力密度プロファイルまたは予想ＳＮＲに部分的に基づいて、前記セルによってサービスされる前記ＡＴのデータパケットコーディングまたは変調をスケジュールすること、
をさらに備える、請求項１４に記載の方法。
【請求項１６】
前記要求の有効期間を判定することと、前記有効期間を前記バックホールネットワークを介して与えることと、
をさらに備える、請求項１に記載の方法。
【請求項１７】
前記送信電力を判定することは、前記送信電力コミットメントの有効期間を判定することをさらに備える、
請求項６に記載の方法。
【請求項１８】
前記変更送信電力または前記干渉低減要求のためのＦＬまたはＲＬリソースのセットを指定することをさらに備え、前記リソースは、
タイムスロットのサブバンド、
タイムスロットのセットの前記サブバンド、
前記タイムスロットのすべてのサブバンド、または
タイムスロットの前記セットのすべてのサブバンド、
のうちの少なくとも１つを備える、
請求項１に記載の方法。
【請求項１９】
前記セルのトラフィックフローの達成されたサービス品質（ＱｏＳ）に対するコミットされたＱｏＳ、
前記セルのコミットされたデータレートに対する達成されたデータレート、または
前記セルの達成されたデータレートおよび少なくとも１つの隣接セル内の端末の達成されたデータレート、
のうちの少なくとも１つに基づいて前記要求の優先順位基準を与えることをさらに備える、
請求項１に記載の方法。
【請求項２０】
モバイルＡＮの干渉を管理する装置であって、
前記モバイルＡＮのセルのＦＬまたはＲＬ上での干渉を識別する受信信号プロセッサと、
セル間干渉通信を円滑にするために少なくとも部分的にＡＰバックホールネットワークを使用する送信プロセッサと、を備え、前記通信は、前記セルの変更送信電力コミットメントまたは明示的干渉低減要求を備える、
装置。
【請求項２１】
前記送信プロセッサは、
前記要求に従うかまたは従わないことを円滑にする優先順位基準、
前記干渉低減の利益を受けるように意図されたＡＴのＩＤ、
ＦＬ送信電力の所望の低減、
所望の最大ＦＬ送信電力、
ＲＬ送信電力の所望の低減、
所望のＲＬ干渉レベル、または
前記干渉低減のためのＦＬまたはＲＬリソースのセット、
のうちの少なくとも１つを前記要求に含める、
請求項２０に記載の装置。
【請求項２２】
前記受信信号プロセッサは、前記要求への応答を取得し、前記応答は、送信電力レベルまたは電力低減レベルを示す、
請求項２０に記載の装置。
【請求項２３】
前記応答は、少なくとも部分的に、前記バックホールネットワークを介した前記モバイルＡＮの隣接セルとの通信によって取得される、
請求項２２に記載の装置。
【請求項２４】
前記応答は、前記モバイルＡＮの隣接セルのＡＴからＯＴＡで送信された電力決定パイロットを備える、
請求項２２に記載の装置。
【請求項２５】
前記セルによってサービスされるＡＴ、または
前記セルに関連するＡＰ、
のうちの少なくとも１つの送信電力を計算するために前記送信電力レベルまたは電力低減レベルを使用する信号電力モジュールをさらに備える、
請求項２２に記載の装置。
【請求項２６】
前記信号電力モジュールは、前記送信電力レベルまたは電力低減レベルの有効期間を取得または判定し、前記有効期間に対する前記送信電力を計算する、
請求項２５に記載の装置。
【請求項２７】
前記信号電力モジュールは、前記送信電力レベルを計算するために、前記要求の優先順位を、前記モバイルＡＮの隣接セルの送信優先順位と比較する、
請求項２５に記載の装置。
【請求項２８】
前記送信電力レベルまたは電力低減レベルに基づいて、前記セルによってサービスされるＡＴのＳＮＲを判定する計算モジュールをさらに備え、
前記送信プロセッサは、チャネル品質インジケータを前記ＡＴに要求するためにワイヤレス送信機を使用し、前記チャネル品質インジケータは、前記計算モジュールによって前記ＳＮＲを判定するために使用され、
前記信号電力モジュールは、前記ＡＴの前記ＳＮＲに少なくとも部分的に基づいて前記セルの前記変更送信電力を計算する、
請求項２５に記載の装置。
【請求項２９】
前記受信信号プロセッサは、前記セルによってサービスされるＡＴからワイヤレス通信品質報告をさらに取得する、
請求項２０に記載の装置。
【請求項３０】
前記モバイルＡＮの隣接セルを前記ＡＴの有意の干渉源と識別するために前記品質報告を使用する干渉モジュールをさらに備える、
請求項２９に記載の装置。
【請求項３１】
前記受信信号プロセッサは、
前記ＡＴから周期的品質報告更新を受信すること、
前記ＡＴから散発性品質報告更新を受信すること、
前記品質報告を引き出すためにＯＴＡメッセージを前記ＡＴに送信すること、または
前記隣接セルによってサービスされるＡＴから第２の品質報告を引き出すためにバックホールメッセージを隣接セルに送信すること、
のうちの少なくとも１つを行う、請求項２９に記載の装置。
【請求項３２】
前記送信プロセッサは、観測されたＩＯＴレベルを所望のＩＯＴレベルと比較し、前記要求との前記比較の結果を与える、
請求項２０に記載の装置。
【請求項３３】
前記応答が累積ＦＬまたはＲＬ干渉の指示を備える、請求項２２に記載の装置。
【請求項３４】
前記累積干渉に少なくとも部分的に基づいて、前記セルによってサービスされるＡＴにパケット形式および終了ターゲットを割り当てるデータスケジューラをさらに備える、
請求項３３に記載の装置。
【請求項３５】
干渉ＡＴの送信電力レベルに基づいて、前記セルによってサービスされるＡＴの電力密度プロファイルまたは予想されるＳＮＲを判定する計算モジュールをさらに備える、
請求項２０に記載の装置。
【請求項３６】
前記電力密度プロファイルまたは予想されるＳＮＲに部分的に基づいて、前記セルによってサービスされる前記ＡＴのデータパケットコーディングまたは変調を行うデータスケジューラをさらに備える、
請求項３５に記載の装置。
【請求項３７】
前記送信プロセッサは、前記要求の有効期間を判定し、前記バックホールを介して前記有効期間を与える、請求項２０に記載の装置。
【請求項３８】
前記送信プロセッサは、
タイムスロットのサブバンド、
タイムスロットのセットの前記サブバンド、
前記タイムスロットのすべてのサブバンド、または
タイムスロットの前記セットのすべてのサブバンド、
のうちの少なくとも１つを備える前記要求に関係するワイヤレスチャネルリソースを指定する、
請求項２０に記載の装置。
【請求項３９】
前記送信プロセッサは、前記セルのトラフィックフローのためのコミットされたＱｏＳ、データレート、またはスループットを、それぞれ、達成されたＱｏＳ、データレート、またはスループットと比較することによって前記要求の優先順位を判定する、
請求項２０に記載の装置。
【請求項４０】
モバイルＡＮの干渉を管理するための装置であって、
前記モバイルＡＮのセルのＦＬまたはＲＬ上での干渉を識別するための手段と、
干渉通信を円滑にするために少なくとも部分的にＡＰバックホールネットワークを使用するための手段と、を備え、前記通信は、前記セルの変更送信電力または明示的干渉低減要求を備える、
を備える装置。
【請求項４１】
モバイルＡＮの干渉を管理するように構成された少なくとも１つのプロセッサであって、
前記モバイルＡＮのセルのＦＬまたはＲＬ上での干渉を識別するための第１のモジュールと、
セル間干渉通信を円滑にするために少なくとも部分的にＡＰバックホールネットワークを使用するための第２のモジュールと、を備え、前記通信は、前記セルの変更送信電力コミットメントまたは明示的干渉低減要求を備える、
プロセッサ。
【請求項４２】
コンピュータに、モバイルＡＮのセルのＦＬまたはＲＬ上での干渉を識別させるためのコードの第１のセットと、
前記コンピュータに、セル間干渉通信を円滑にするために少なくとも部分的にＡＰバックホールネットワークを使用させるためのコードの第２のセットと、を備えるコンピュータ可読媒体を備え、前記通信は、前記セルの変更送信電力コミットメントまたは明示的干渉低減要求を備える、
コンピュータプログラム製品。
【請求項４３】
ワイヤレスＡＮの干渉回避を円滑にする方法であって、
少なくとも部分的にバックホールネットワークを介して、前記ＡＮの隣接セルの変更送信電力、または前記ＡＮのサービングセル上の干渉を低減する明示的要求を備える干渉通信に関与することと、
それぞれ、前記変更送信電力に基づいて前記サービングセルのスケジューリングポリシーを実施すること、または前記要求に従うべきかどうかを判定することと、
を備える方法。
【請求項４４】
前記判定の結果を示す前記要求への応答を与えることをさらに備え、前記応答は、前記バックホールネットワークを介してまたはＯＴＡ送信で提出される、
請求項４３に記載の方法。
【請求項４５】
前記応答を与えることは、
前記応答とともに前記サービングセルの１つまたは複数のＡＴの干渉コミットメントレベルを前記バックホールネットワークを介して提出すること、または
前記１つまたは複数のＡＴを介してＯＴＡメッセージを中継することであって、前記ＯＴＡメッセージが、前記１つまたは複数のＡＴの前記干渉コミットメントレベルを示す、中継すること、
のうちの少なくとも１つをさらに備える、
請求項４４に記載の方法。
【請求項４６】
前記応答の有効期間を判定することと、前記有効期間を前記応答に含めることと、
をさらに備える、請求項４４に記載の方法。
【請求項４７】
前記要求が適用可能である１つまたは複数のワイヤレスチャネルリソースを判定することと、前記応答においてそのようなリソースを識別することと、
をさらに備える、請求項４４に記載の方法。
【請求項４８】
前記要求は、
前記要求に従うかまたは従わないことを円滑にする優先順位基準、
前記干渉低減の恩恵を被るように意図されたＡＴのＩＤ、
ＦＬ送信電力の所望の低減、
所望の最大ＦＬ送信電力、
ＲＬ送信電力の所望の低減、
所望のＲＬ干渉レベル、または
干渉低減のためのＦＬまたはＲＬリソースのセット、
のうちの少なくとも１つを含む、
請求項４３に記載の方法。
【請求項４９】
前記スケジューリングポリシーを実施することは、前記サービングセルに結合されたＡＴの送信電力レベル、データパケットコーディングまたは変調を確立することをさらに備える、
請求項４３に記載の方法。
【請求項５０】
前記要求を処理することと、送信電力レベルまたは送信電力低減レベルを計算することと、
前記要求に応答して前記送信電力レベルまたは電力低減レベルを備えるコミットメントメッセージを前記バックホールネットワークを介して提出することと、または
ＯＴＡパイロット信号を介して前記送信電力コミットメントレベルを広告することと、
のうちの少なくとも１つをさらに備える、
請求項４３に記載の方法。
【請求項５１】
前記送信電力レベルまたは電力低減レベルを計算することが、前記サービングセルのＱｏＳ要件を分析することをさらに備える、
請求項５０に記載の方法。
【請求項５２】
前記セルのＡＴからワイヤレスチャネル品質報告を取得することと、前記スケジューリングポリシーを実施する際に前記品質報告を使用することとをさらに備える、
請求項４３に記載の方法。
【請求項５３】
前記要求に従うかどうかを判定することは、
前記サービングセルの送信の優先順位を取得することと、
前記サービングセルの前記優先順位を前記要求の優先順位と比較することと、
をさらに備える、請求項４３に記載の方法。
【請求項５４】
ワイヤレスＡＮの干渉回避を円滑にする装置であって、
セル間干渉通信に関与するためにバックホールネットワークを使用する信号プロセッサと、なお、前記通信は、前記ワイヤレスＡＮの隣接セルの変更送信コミットメント、または前記ワイヤレスＡＮのサービングセル上の干渉を低減する明示的要求を備える、
それぞれ、前記変更送信電力に基づいて前記サービングセルのスケジューリングポリシーを実施する、または前記要求に従うべきかどうかを判定する、優先順位モジュールと、
を備える装置。
【請求項５５】
前記判定の結果を示す、前記要求への応答を与える送信プロセッサをさらに備える、
請求項５４に記載の装置。
【請求項５６】
前記送信プロセッサは、
前記応答とともにＲＬ干渉コミットメントレベルを前記バックホールネットワークを介して提出すること、または
ＯＴＡメッセージを受信セルのＡＴを介して前記セルに中継すること、
のうちの少なくとも１つを行い、前記ＯＴＡメッセージが前記ＲＬ干渉コミットメントレベルを示す、
請求項５５に記載の装置。
【請求項５７】
前記要求は、
前記要求に従うかまたは従わないことを円滑にする優先順位基準、
前記干渉低減の利益を受けるように意図されたＡＴのＩＤ、
ＦＬ送信電力の所望の低減、
所望の最大ＦＬ送信電力、
ＲＬ送信電力の所望の低減、
所望のＲＬ干渉レベル、または
干渉低減のためのＦＬまたはＲＬリソースのセット
のうちの少なくとも１つを含む、請求項５４に記載の装置。
【請求項５８】
前記優先順位モジュールは、前記サービングセルに結合されたＡＴの送信電力レベル、データパケットコーディングまたは変調を確立することによって前記スケジューリングポリシーを実施する、
請求項５４に記載の装置。
【請求項５９】
前記要求を処理し、ＦＬ送信電力レベルまたは送信電力低減レベルを判定する計算モジュールをさらに備え、前記送信プロセッサは、
前記要求に応答して前記ＦＬ送信電力レベルまたは送信電力低減レベルを備えるコミットメントメッセージを前記バックホールネットワークを介して提出すること、または
ＯＴＡパイロット信号を介して前記送信電力コミットメントレベルを広告することと、
のうちの少なくとも１つを行う、
請求項５８に記載の装置。
【請求項６０】
前記計算モジュールは、前記ＦＬ送信電力レベルまたは電力低減レベルを判定するために前記サービングセルのＱｏＳ要件を分析する、
請求項５９に記載の装置。
【請求項６１】
前記信号プロセッサは、前記セルのＡＴからワイヤレスチャネル品質報告を取得する、
請求項５４に記載の装置。
【請求項６２】
前記優先順位モジュールは、前記要求の有効期間を判定し、前記送信プロセッサは、前記要求への応答に前記有効期間を含める、
請求項５４に記載の装置。
【請求項６３】
前記優先順位モジュールは、前記要求に適用可能な１つまたは複数のワイヤレスチャネルリソースを判定する、
請求項５４に記載の装置。
【請求項６４】
前記優先順位モジュールは、前記サービングセルの送信優先順位を、前記要求に従うべきかどうかを判定する前記要求の優先順位と比較する、
請求項５４に記載の装置。
【請求項６５】
ワイヤレスＡＮの干渉回避を円滑にするように構成された装置であって、
少なくとも部分的にバックホールネットワークを介して、前記ワイヤレスＡＮの隣接セルの変更送信電力、または前記ＡＮのサービングセル上の干渉を低減する明示的要求を備える干渉通信に関与するための手段と、
それぞれ、前記変更送信電力に基づいて前記サービングセルのスケジューリングポリシーを実施するための手段、または前記要求に従うべきかどうかを判定するための手段と、
を備える装置。
【請求項６６】
ワイヤレスＡＮの干渉回避を円滑にするように構成された少なくとも１つのプロセッサであって、
少なくとも部分的にバックホールネットワークを介して、前記ワイヤレスＡＮの隣接セルの変更送信電力、または前記ＡＮのサービングセル上の干渉を低減する明示的要求を備える干渉通信に関与するための第１のモジュールと、
それぞれ、前記変更送信電力に基づいて前記サービングセルのスケジューリングポリシーを実施する、または前記要求に従うべきかどうかを判定する、ための第２のモジュールと、
を備えるプロセッサ。
【請求項６７】
コンピュータに、少なくとも部分的にバックホールネットワークを介して、前記ワイヤレスＡＮの隣接セルの変更送信電力、または前記ＡＮのサービングセル上の干渉を低減する明示的要求を備える干渉通信に関与させるためのコードの第１のセットと、
それぞれ、前記コンピュータに、前記変更送信電力に基づいて前記サービングセルのスケジューリングポリシーを実施させる、または前記コンピュータに、前記要求に従うべきかどうかを判定させる、ためのコードの第２のセットと、
を備えるコンピュータ可読媒体を備える、
コンピュータプログラム製品。
【請求項６８】
ワイヤレスＡＮの干渉回避を円滑にする方法であって、
前記ワイヤレスＡＮの隣接セルに関係するワイヤレスチャネル品質報告を生成することと、
少なくとも部分的にバックホールネットワークを通して干渉管理を円滑にするために前記ワイヤレスチャネル品質報告をサービングセルに提出することと、
を備える方法。
【請求項６９】
周期的、
散発的、または
前記サービングセルからの要求時、
のうちの少なくとも１つで前記品質報告を更新することをさらに備える、
請求項６８に記載の方法。
【請求項７０】
少なくとも部分的に、そのようなセルによって送信された低再使用プリアンブルによって前記隣接セルを識別することをさらに備える、
請求項６８に記載の方法。
【請求項７１】
前記品質報告を生成することは、前記サービングセルまたは前記隣接セルの送信電力コミットメントを分析することをさらに備える、
請求項６８に記載の方法。
【請求項７２】
前記品質報告の提出に続くセル間通信は、前記バックホールネットワークを介して行われる、
請求項６８に記載の方法。
【請求項７３】
ワイヤレスＡＮの干渉回避を円滑にするＡＴであって、
前記ワイヤレスＡＮの隣接セルに関係するワイヤレスチャネル品質報告を生成するプロセッサと、
セル間バックホール通信に基づいて干渉管理を円滑にするために前記ワイヤレスチャネル品質報告をサービングセルに提出する送信機と、
を備えるＡＴ。
【請求項７４】
前記プロセッサは、
周期的、
散発的、または
前記サービングセルからの要求時、
のうちの少なくとも１つで前記品質報告を更新する、
請求項７３に記載のＡＴ。
【請求項７５】
少なくとも部分的に、そのようなセルによって送信された低再使用プリアンブルによって前記隣接セルを識別する信号プロセッサをさらに備える、
請求項７３に記載のＡＴ。
【請求項７６】
前記プロセッサは、前記品質報告を生成するために前記サービングセルまたは隣接セルの送信電力コミットメントを分析する、
請求項７３に記載のＡＴ。
【請求項７７】
前記品質報告の提出に続くセル間通信は、前記バックホールネットワークを介して行われる、
請求項７３に記載のＡＴ。
【請求項７８】
ワイヤレスＡＮの干渉回避を円滑にするための装置であって、
前記ワイヤレスＡＮの隣接セルに関係するワイヤレスチャネル品質報告を生成するための手段と、
少なくとも部分的にバックホールネットワークを通して干渉管理を円滑にするために、前記ワイヤレスチャネル品質報告をサービングセルに提出するための手段と、
を備える装置。
【請求項７９】
ワイヤレスＡＮの干渉回避を円滑にするように構成された少なくとも１つのプロセッサであって、
前記ワイヤレスＡＮの隣接セルに関係するワイヤレスチャネル品質報告を生成するための第１のモジュールと、
少なくとも部分的にバックホールネットワークを通して干渉管理を円滑にするために前記ワイヤレスチャネル品質報告をサービングセルに提出するための第２のモジュールと、
を備えるプロセッサ。
【請求項８０】
コンピュータに、前記ワイヤレスＡＮの隣接セルに関係するワイヤレスチャネル品質報告を生成させるためのコードの第１のセットと、
前記コンピュータに、少なくとも部分的にバックホールネットワークを通して干渉管理を円滑にするために前記ワイヤレスチャネル品質報告をサービングセルに提出させるためのコードの第２のセットと、
を備えるコンピュータ可読媒体を備える、コンピュータプログラム製品。
【請求項８１】
ワイヤレスＡＮの干渉回避を円滑にする方法であって、
前記ワイヤレスＡＮのサービングセルから信号を取得することと、なお、前記信号は、送信電力コミットメントまたは干渉を低減する明示的要求を備える、
セル間バックホールネットワークを介して後続の干渉管理を円滑にするために前記信号を隣接セルにＯＴＡで転送することと、
を備える方法。
【請求項８２】
少なくとも部分的に、そのようなセルによって送信された低再使用プリアンブルによって前記隣接セルを識別することをさらに備える、
請求項８１に記載の方法。
【請求項８３】
ワイヤレスＡＮの干渉回避を円滑にするＡＴであって、
前記ワイヤレスＡＮのサービングセルから信号を取得する受信信号プロセッサであって、前記信号が、送信電力コミットメントまたは干渉を低減する明示的要求を備える、受信信号プロセッサと、
セル間バックホールネットワークを介して後続の干渉管理を円滑にするために前記信号を隣接セルにＯＴＡで転送する送信プロセッサと、
を備えるＡＴ。
【請求項８４】
前記受信信号プロセッサは、少なくとも部分的に、そのようなセルによって送信された低再使用プリアンブルによって前記隣接セルを識別する、
請求項８３に記載のＡＴ。
【請求項８５】
ワイヤレスＡＮの干渉回避を円滑にする装置であって、
前記ワイヤレスＡＮのサービングセルから信号を取得するための手段と、なお、前記信号は、送信電力コミットメントまたは干渉を低減する明示的要求を備える、
セル間バックホールネットワークを介して後続の干渉管理を円滑にするために前記信号を隣接セルにＯＴＡで転送するための手段と、
を備える装置。
【請求項８６】
ワイヤレスＡＮの干渉回避を円滑にするように構成された少なくとも１つのプロセッサであって、
前記ワイヤレスＡＮのサービングセルから信号を取得するための第１のモジュールと、なお、前記信号は、送信電力コミットメントまたは干渉を低減する明示的要求を備える、
セル間バックホールネットワークを介して後続の干渉管理を円滑にするために前記信号を隣接セルにＯＴＡで転送するための第２のモジュールと、
を備えるプロセッサ。
【請求項８７】
コンピュータに、前記ワイヤレスＡＮのサービングセルから信号を取得させるためのコードの第１のセットと、なお、前記信号は、送信電力コミットメントまたは干渉を低減する明示的要求を備える、
前記コンピュータに、セル間バックホールネットワークを介して後続の干渉管理を円滑にするために前記信号を隣接セルにＯＴＡで転送させるためのコードの第２のセットと、
を備えるコンピュータ可読媒体を備えるコンピュータプログラム製品。
【発明の詳細な説明】
【関連出願】
【０００１】
米国特許法第１１９条に基づく優先権の主張
本特許出願は、それぞれ本出願の譲受人に譲渡され、参照により本明細書に明白に組み込まれる、  
２００８年２月１日に出願されたAIR-INTERFERENCE AND BACKHAUL SIGNALING APPROACHES FOR INTERFERENCE AVOIDANCE MESSAGESと題する仮出願第６１／０２５，６７０号、および  
２００８年４月２２日に出願されたSYSTEMS AND METHODS TO ENABLE AIR-INTERFERENCE AND BACKHAUL SIGNALING FOR INTERFERENCE AVOIDANCE MESSAGESと題する仮出願第６１／０４７，０２１号の優先権を主張する。
【０００２】
同時係属特許出願の参照
本特許出願は、  
本出願の譲受人に譲渡され、参照により本明細書に明白に組み込まれる、本明細書と同時に出願された代理人整理番号第０８０８２３号を有するＡａｍｏｄ  Ｋｈａｎｄｅｋａｒらによる「SECTOR INTERFERENCE MANAGEMENT BASED ON INTER-SECTOR PERFORMANCE」と、  
本出願の譲受人に譲渡され、参照により本明細書に明白に組み込まれる、本明細書と同時に出願された代理人整理番号第０８０２６９号を有するＡａｍｏｄ  Ｋｈａｎｄｅｋａｒらによる「PREAMBLE DESIGN FOR A WIRELESS SIGNAL」と、  
本出願の譲受人に譲渡され、参照により本明細書に明白に組み込まれる、本明細書と同時に出願された代理人整理番号第０８０２７８Ｕ１号を有するＡａｍｏｄ  Ｋｈａｎｄｅｋａｒらによる「PREAMBLE DESIGN FOR A WIRELESS SIGNAL」と、  
本出願の譲受人に譲渡され、参照により本明細書に明白に組み込まれる、本明細書と同時に出願された代理人整理番号第０８０２７８Ｕ２号を有するＡａｍｏｄ  Ｋｈａｎｄｅｋａｒらによる「PREAMBLE DESIGN FOR A WIRELESS SIGNAL」と、  
本出願の譲受人に譲渡され、参照により本明細書に明白に組み込まれる、本明細書と同時に出願された代理人整理番号第０８０２７８Ｕ３号を有するＡａｍｏｄ  Ｋｈａｎｄｅｋａｒらによる「PREAMBLE DESIGN FOR A WIRELESS SIGNAL」との同時係属米国特許出願に関する。
【技術分野】
【０００３】
以下は、一般にワイヤレス通信に関し、より詳細には、ワイヤレスアクセスネットワークの低減された干渉を供給するために、少なくとも部分的にバックホールネットワークを使用することに関する。
【背景技術】
【０００４】
ワイヤレス通信システムは、たとえば音声コンテンツ、データコンテンツなど、様々なタイプの通信コンテンツを提供するために広く展開されている。代表的なワイヤレス通信システムは、使用可能なシステムリソース（たとえば、帯域幅、送信電力）を共有することによって複数のユーザとの通信をサポートすることができる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。
【０００５】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどを介して確立できる。
【０００６】
ワイヤレスアクセスネットワークの計画展開では、アクセスポイント（たとえば、基地局）ならびにアクセス端末による送信から無線信号干渉が生じることがある。特定のセル内の干渉は、隣接セル中のアクセスポイントおよび／またはアクセス端末によって引き起こされることがある。一般に、計画展開は、送信電力および可能性のある干渉に応じて基地局を配置することによって管理される。しかしながら、特にデバイスが低電力送信を利用するとき、依然として送信機間に干渉が生じることがある。干渉を低減するために、アクセスネットワーク内で干渉低減信号を利用することができる。干渉低減信号を受信した基地局は、その送信電力を低減するか、または基地局によってサービスされるアクセス端末（ＡＴ）の送信電力を低減する。しかしながら、無計画または未完の計画ワイヤレスアクセスポイント展開が存在する場合、一般にワイヤレスアクセスネットワークにおいて干渉を低減するために、追加の干渉低減機構が役立つ。
【発明の概要】
【０００７】
以下で、１つまたは複数の態様の基本的な理解を与えるために、そのような態様の簡略化した概要を提示する。この概要は、すべての企図される態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化した形で提示することである。
【０００８】
本開示は、ワイヤレスアクセスネットワーク（ＡＮ）のワイヤレスアクセスポイント（ＡＰ）間で少なくとも部分的にバックホールシグナリングを利用する干渉低減および／または回避を提供する。シグナリングは、ＡＰにおいて観測される信号干渉、順方向リンク上でＡＰによってサービスされるアクセス端末（ＡＴ）において観測される信号干渉、または両方を低減するために、ＡＰにおいて発信される干渉回避要求（ＩＡＲ）を備えることができる。ＩＡＲをバックホールネットワークおよび／またはＡＴを介してワイヤレスＡＮの１つまたは複数の干渉ＡＰにルーティングすることができる。干渉ＡＰは、サービングＡＰにおいて適切な電力スケジュールを可能にするために、低減された送信電力レベルを判定し、ＩＡＲに応答して低減された電力レベルを与えることができる。全体的にまたは部分的にバックホールネットワークを使用することによって、バックホールに接続された未完の計画または無計画異種ネットワークに対して干渉回避を行うことができる。
【０００９】
本開示の少なくとも１つの態様では、モバイルＡＮの干渉を管理する方法が提供される。本方法は、モバイルＡＮのセルの順方向リンク（ＦＬ）または逆方向リンク（ＲＬ）上での干渉を識別することを備えることができる。本方法は、干渉通信を円滑にするために少なくとも部分的にＡＰバックホールネットワークを使用することであって、その通信がセルの変更送信電力または明示的干渉低減要求を備える、使用することを備えることができる。
【００１０】
さらなる態様によれば、モバイルＡＮの干渉を管理する装置が開示される。本装置は、モバイルＡＮのセルのＦＬまたはＲＬ上での干渉を識別する受信信号プロセッサを備えることができる。さらに、本装置は、セル間干渉通信を円滑にするために少なくとも部分的にＡＰバックホールネットワークを使用する送信プロセッサであって、その通信がセルの変更送信電力コミットメントまたは明示的干渉低減要求を備える、送信プロセッサを備えることができる。
【００１１】
少なくとも１つの追加の態様では、モバイルＡＮの干渉を管理する装置が提供される。本装置は、モバイルＡＮのセルのＦＬまたはＲＬ上での干渉を識別するための手段を備えることができる。本装置は、干渉通信を円滑にするために少なくとも部分的にＡＰバックホールネットワークを使用するための手段であって、その通信がセルの変更送信電力または明示的干渉低減要求を備える、使用するための手段をさらに備えることができる。
【００１２】
上記に加えて、モバイルＡＮの干渉を管理するように構成された少なくとも１つのプロセッサが開示される。（１つまたは複数の）本プロセッサは、モバイルＡＮのセルのＦＬまたはＲＬ上での干渉を識別するための第１のモジュールを備えることができる。（１つまたは複数の）本プロセッサは、セル間干渉通信を円滑にするために少なくとも部分的にＡＰバックホールネットワークを使用するための第２のモジュールであって、その通信がセルの変更送信電力コミットメントまたは明示的干渉低減要求を備える、第２のモジュールをさらに備えることができる。
【００１３】
１つまたは複数の追加の態様によれば、コンピュータ可読媒体を備えるコンピュータプログラム製品が開示される。本コンピュータ可読媒体は、コンピュータに、モバイルＡＮのセルのＦＬまたはＲＬ上での干渉を識別させるためのコードの第１のセットを備えることができる。本コンピュータ可読媒体は、コンピュータに、セル間干渉通信を円滑にするために少なくとも部分的にＡＰバックホールネットワークを使用させるためのコードの第２のセットであって、その通信がセルの変更送信電力コミットメントまたは明示的干渉低減要求を備える、コードの第２のセットをさらに備えることができる。
【００１４】
さらに、ワイヤレスＡＮの干渉回避を円滑にする方法が提供される。本方法は、少なくとも部分的にバックホールネットワークを介して、ＡＮの隣接セルの変更送信電力、またはＡＮのサービングセル上の干渉を低減する明示的要求を備える干渉通信に関与することを備えることができる。さらに、本方法は、それぞれ、変更送信電力に基づいてサービングセルのためのスケジューリングポリシーを実施すること、または要求に従うべきかどうかを判定することを備えることができる。
【００１５】
他の態様によれば、ワイヤレスＡＮの干渉回避を円滑にする装置が開示される。本装置は、セル間干渉通信に関与するためにバックホールネットワークを使用する信号プロセッサであって、その通信が、ワイヤレスＡＮの隣接セルの変更送信コミットメント、またはワイヤレスＡＮのサービングセル上の干渉を低減する明示的要求を備える、信号プロセッサを備えることができる。さらに、本装置は、それぞれ、変更送信電力に基づいてサービングセルのスケジューリングポリシーを実施する優先順位モジュール、または要求に従うべきかどうかを判定する優先順位モジュールを備えることができる。
【００１６】
さらに他の態様によれば、ワイヤレスＡＮの干渉回避を円滑にする装置が提供される。本装置は、少なくとも部分的にバックホールネットワークを介して、ワイヤレスＡＮの隣接セルの変更送信電力、またはＡＮのサービングセル上の干渉を低減する明示的要求を備える干渉通信に関与するための手段を備えることができる。さらに、本装置は、それぞれ、変更送信電力に基づいてサービングセルのためのスケジューリングポリシーを実施すること、または要求に従うべきかどうかを判定するための手段を備えることができる。
【００１７】
さらに他の態様では、ワイヤレスＡＮの干渉回避を円滑にするように構成された少なくとも１つのプロセッサが開示される。（１つまたは複数の）本プロセッサは、少なくとも部分的にバックホールネットワークを介して、ワイヤレスＡＮの隣接セルの変更送信電力、またはＡＮのサービングセル上の干渉を低減する明示的要求を備える干渉通信に関与するための第１のモジュールを備えることができる。さらに、（１つまたは複数の）本プロセッサは、それぞれ、変更送信電力に基づいてサービングセルのスケジューリングポリシーを実施するための第２のモジュール、または要求に従うべきかどうかを判定するための第２のモジュールを備えることができる。
【００１８】
上記に加えて、コンピュータ可読媒体を備えるコンピュータプログラム製品が提供される。本コンピュータ可読媒体は、コンピュータに、少なくとも部分的にバックホールネットワークを介して、ワイヤレスＡＮの隣接セルの変更送信電力、またはＡＮのサービングセル上の干渉を低減する明示的要求を備える干渉通信に関与させるためのコードの第１のセットを備えることができる。本コンピュータ可読媒体は、それぞれ、コンピュータに、変更送信電力に基づいてサービングセルのスケジューリングポリシーを実施させる、またはコンピュータに、要求に従うべきかどうかを判定させる、ためのコードの第２のセットをさらに備えることができる。
【００１９】
少なくとも１つまたは複数の態様によれば、ワイヤレスＡＮの干渉回避を円滑にする方法が提供される。本方法は、ワイヤレスＡＮの隣接セルに関係するワイヤレスチャネル品質報告を生成することを備えることができる。本方法はまた、少なくとも部分的にバックホールネットワークを通して干渉管理を円滑にするためにワイヤレスチャネル品質報告をサービングセルに提出することを備えることができる。
【００２０】
さらなる態様によれば、ワイヤレスＡＮの干渉回避を円滑にするＡＴが開示される。本ＡＴは、ワイヤレスＡＮの隣接セルに関係するワイヤレスチャネル品質報告を生成するプロセッサを備えることができる。本ＡＴは、セル間バックホール通信に基づいて干渉管理を円滑にするためにワイヤレスチャネル品質報告をサービングセルに提出する送信機をさらに備えることができる。
【００２１】
１つまたは複数の他の態様によれば、ワイヤレスＡＮの干渉回避を円滑にする装置が開示される。本装置は、ワイヤレスＡＮの隣接セルに関係するワイヤレスチャネル品質報告を生成するための手段を備えることができる。さらに、本装置は、少なくとも部分的にバックホールネットワークを通して干渉管理を円滑にするためにワイヤレスチャネル品質報告をサービングセルに提出するための手段を備えることができる。
【００２２】
少なくとも１つの態様によれば、ワイヤレスＡＮの干渉回避を円滑にするように構成された少なくとも１つのプロセッサが提供される。（１つまたは複数の）本プロセッサは、ワイヤレスＡＮの隣接セルに関係するワイヤレスチャネル品質報告を生成するための第１のモジュールを備えることができる。（１つまたは複数の）本プロセッサは、少なくとも部分的にバックホールネットワークを通して干渉管理を円滑にするためにワイヤレスチャネル品質報告をサービングセルに提出するための第２のモジュールをさらに備えることができる。
【００２３】
追加の態様では、コンピュータ可読媒体を備えるコンピュータプログラム製品が開示される。本コンピュータ可読媒体は、コンピュータに、ワイヤレスＡＮの隣接セルに関係するワイヤレスチャネル品質報告を生成させるためのコードの第１のセットを備えることができる。さらに、本コンピュータ可読媒体は、コンピュータに、少なくとも部分的にバックホールネットワークを通して干渉管理を円滑にするためにワイヤレスチャネル品質報告をサービングセルに提出させるためのコードの第２のセットを備えることができる。
【００２４】
さらなる態様によれば、ワイヤレスＡＮの干渉回避を円滑にする方法が提供される。本方法は、ワイヤレスＡＮのサービングセルから信号を取得することであって、信号は、送信電力コミットメントまたは干渉を低減する明示的要求を備える、取得することを備えることができる。本方法は、セル間バックホールネットワークを介して後続の干渉管理を円滑にするために信号を隣接セルにＯＴＡで転送することをさらに備えることができる。
【００２５】
少なくとも１つのさらなる態様では、ワイヤレスＡＮの干渉回避を円滑にするＡＴが提供される。本ＡＴは、ワイヤレスＡＮのサービングセルから信号を取得する受信信号プロセッサであって、信号は、送信電力コミットメントまたは干渉を低減する明示的要求を備える、受信信号プロセッサを備えることができる。さらに、本ＡＴは、セル間バックホールネットワークを介して後続の干渉管理を円滑にするために信号を隣接セルにＯＴＡで転送する送信プロセッサを備えることができる。
【００２６】
１つまたは複数の他の態様によれば、ワイヤレスＡＮの干渉回避を円滑にする装置が開示される。本装置は、ワイヤレスＡＮのサービングセルから信号を取得するための手段であって、信号は、送信電力コミットメントまたは干渉を低減する明示的要求を備える、取得するための手段を備えることができる。本装置は、セル間バックホールネットワークを介して後続の干渉管理を円滑にするために信号を隣接セルにＯＴＡで転送するための手段を備えることができる。
【００２７】
他の態様では、ワイヤレスＡＮの干渉回避を円滑にするように構成された少なくとも１つのプロセッサが開示される。（１つまたは複数の）本プロセッサは、ワイヤレスＡＮのサービングセルから信号を取得するための第１のモジュールであって、信号は、送信電力コミットメントまたは干渉を低減する明示的要求を備える、第１のモジュールを備えることができる。（１つまたは複数の）本プロセッサは、セル間バックホールネットワークを介して後続の干渉管理を円滑にするために信号を隣接セルにＯＴＡで転送するための第２のモジュールをさらに備えることができる。
【００２８】
さらに他の態様によれば、コンピュータ可読媒体を備えるコンピュータプログラム製品が開示される。本コンピュータ可読媒体は、コンピュータに、ワイヤレスＡＮのサービングセルから信号を取得させるためのコードの第１のセットであって、信号は、送信電力コミットメントまたは干渉を低減する明示的要求を備える、コードの第１のセットを備えることができる。本コンピュータ可読媒体は、コンピュータに、セル間バックホールネットワークを介して後続の干渉管理を円滑にするために信号を隣接セルにＯＴＡで転送させるためのコードの第２のセットを備えることができる。
【００２９】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【図面の簡単な説明】
【００３０】
【図１】本明細書に記載の態様によるワイヤレス通信を提供する例示的なシステムのブロック図。
【図２】ワイヤレス通信環境で使用するための例示的な通信装置のブロック図。
【図３】ワイヤレスアクセスネットワーク（ＡＮ）のバックホールを使用する例示的な順方向リンク干渉回避要求（ＩＡＲ）のブロック図。
【図４】ワイヤレスＡＮのバックホールを使用する基地局間の例示的な逆方向リンクＩＡＲのブロック図。
【図５】本明細書で開示する態様による、ＩＡＲを提出するのに適したおよび／またはＩＡＲに応答するのに適した基地局を備える例示的なシステムのブロック図。
【図６】いくつかの態様による、バックホールＩＡＲを円滑にすることができるアクセス端末（ＡＴ）を備える例示的なシステムのブロック図。
【図７】未完の計画または無計画ワイヤレスＡＮのためのＩＡＲメッセージを伝えるためにバックホールネットワークを使用する例示的な方法のフローチャート。
【図８】順方向リンク（ＦＬ）および逆方向リンク（ＲＬ）ＩＡＲメッセージにバックホールネットワークを使用するための例示的な方法のフローチャート。
【図９】１つまたは複数の態様による、ＩＡＲに応答するための例示的な方法のフローチャート。
【図１０】さらなる態様による、ＦＬおよび／またはＲＬ  ＩＡＲメッセージに応答するための例示的な方法のフローチャート。
【図１１】未完の計画または無計画ワイヤレスＡＮのためのＦＬバックホールＩＡＲメッセージを円滑にするための例示的な方法のフローチャート。
【図１２】未完の計画または無計画ワイヤレスＡＮのためのＲＬバックホールＩＡＲメッセージを円滑にするための例示的な方法のフローチャート。
【図１３】いくつかの態様による、バックホールネットワークを利用して干渉回避を行う例示的なシステムのブロック図。
【図１４】他の態様による、バックホールネットワークを介してＩＡＲメッセージに応答する例示的なシステムのブロック図。
【図１５】ワイヤレスＡＮにおいてＦＬ  ＩＡＲ要求を円滑にすることができる例示的なシステムのブロック図。
【図１６】ワイヤレスＡＮにおいてＲＬ  ＩＡＲ要求を円滑にすることができる例示的なシステムのブロック図。
【発明を実施するための形態】
【００３１】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の特定の詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスはブロック図の形態で示す。
【００３２】
さらに、本開示の様々な態様について以下で説明する。本明細書の教示は多種多様な形で実施でき、本明細書で開示する特定の構造および／または機能は代表的なものにすぎないことは明らかであろう。本明細書の教示に基づいて、本明細書で開示する態様は他の態様とは無関係に実現できること、およびこれらの態様のうちの２つ以上を様々な方法で組み合わせることができることを、当業者なら諒解されよう。たとえば、本明細書に記載の態様をいくつ使用しても、装置を実現し、および／または方法を実施することができる。さらに、本明細書に記載の態様のうちの１つまたは複数に加えて、あるいはそれら以外に、他の構造および／または機能を使用して装置を実現し、および／または方法を実施することができる。一例として、本明細書で説明する方法、デバイス、システムおよび装置の多くについて、モバイルアクセスネットワーク（ＡＮ）のセクタ間干渉回避を実施するコンテキストで説明する。当業者は、同様の技法が他の通信環境に適用できることを理解すべきである。
【００３３】
本開示で使用される異種ネットワークという用語は、共通または同様の帯域幅内に展開される異種タイプの基地局のネットワークを指す。異種タイプの基地局は、様々な送信電力、様々な関連付けタイプ、基地局がバックホール接続（たとえば、中継基地局）と相互接続されるかどうかなど、またはそれらの組合せに基づいて分類できる。最高５０ワットを送信する典型的なマクロ基地局対１ワットで送信する典型的なピコ基地局は、送信電力相違の一例である。様々な関連付けタイプを有する基地局は、一般のアクセス基地局を含み得る。それは、サブスクリプションを有する端末の限定されたサブセットにのみネットワーク接続性を与える限定アクセス基地局と比較して、適切なサブスクリプションを有する大部分またはすべてのワイヤレス端末にネットワークアクセスを与える。
【００３４】
密なおよび／または未完の計画もしくは無計画ワイヤレスアクセスネットワーク（ＡＮ）では、セル内の順方向リンク（ＦＬ）および逆方向リンク（ＲＬ）干渉は、隣接セル内のワイヤレスアクセスポイント（ＡＰ）およびアクセス端末（ＡＴ）それぞれによって支配されることがある。さらに、異種のワイヤレスＡＮでは、比較的低電力のＡＰが比較的大電力のＡＰの範囲内に存在し、干渉の問題を悪化させることがある。説明するために、ＡＰは、典型的に、ＡＰによってカバーされる地理的エリアに関係する電力で送信する。そのような地理的エリアはセルと呼ばれ、サイズが異なることがある。たとえば、マクロセルは、マイクロセル、ピコセル、フェムトセルなどよりも大きいものとすることができる。したがって、マクロセルにサービスするワイヤレスＡＰは、一般に、マイクロセル、ピコセル、またはフェムトセルにサービスするＡＰよりも高電力で送信することができる。計画されたネットワークでは、ＡＰは、干渉を緩和するために互いに適切な距離をおいて配置される。距離は、たとえば、２つのそのようなＡＰの（たとえば、あるデシベル［ｄＢ］レベル内で測定される）組み合わせられた送信範囲に対して判定できる。ＡＰの配置が未完の計画または無計画のみの場合、隣接ＡＰによってサービスされるセル内で著しい干渉が生じることがある。１つの明らかな例は、大電力マクロセルＡＰの送信が、マクロセルに近接する、より低電力のＡＰに対して著しい干渉を生じる可能性があることである。しかしながら、逆も当てはまることがある。たとえば、マクロセルによってサービスされる端末が同じくピコセルに近接する場合、ピコはマクロに対して著しい干渉物となることがある。その上、制限された関連付けＡＰ（たとえば、私有フェムトセルＡＰ）は、この問題を悪化させることがある。端末が、制限されたＡＰに非常に近接しており、そのようなＡＰに接続できないと、特に最も近い一般アクセスＡＰが端末から大きく離れている場合、制限されたＡＰは、端末に対して著しい干渉を生成することがある。
【００３５】
（たとえば、未完の計画／無計画ネットワークまたは異種のアクセスタイプネットワークを含む）ワイヤレスＡＮにおいて干渉を低減するために、本開示は、バックホールネットワークを利用して干渉回避要求（ＩＡＲ）を実施する機構を提供する。バックホールネットワークは、ワイヤレスＡＮのＡＰ間に有線および／またはワイヤレス通信チャネルを備えることができる。ＩＡＲ信号は、ワイヤレス信号の信号強度および／またはリソースを動的に区分するためにＡＰの間で共有される。本明細書で説明するＩＡＲ信号の管理された使用は、様々なワイヤレスＡＮの干渉低減されたまたは干渉のないパフォーマンスを生じることができる。
【００３６】
従来として、隣接セルからの干渉は、受信機（たとえば、特定のセルを用いて動作するＡＰまたはアクセス端末［ＡＴ］）において過剰雑音として扱われる。代替として、そのような干渉は静的部分周波数再使用に基づいて低減できる。しかしながら、そのような手法は、比較的不十分なワイヤレスリンクパフォーマンスおよび／またはワイヤレスリソースの非効率的な利用を生じることがある。
【００３７】
ワイヤレスＡＮのワイヤレス通信は、順方向リンク通信（たとえば、ＡＰからＡＴへの通信）と逆方向リンク通信（たとえば、ＡＴからＡＰへの通信）とに分類できる。順方向リンク上で、ＡＴは、隣接セル内の隣接ＡＰから干渉を受けることがある。たとえば、ＡＴにおいてサービングＡＰから受信した信号は、隣接ＡＰから受信した信号と混合されることがある。隣接ＡＰがサービングＡＰ（たとえば、ピコセルＡＰ）よりも高電力の送信機（たとえば、マクロセルＡＰ）である場合、順方向リンク干渉はＡＴのワイヤレス通信を著しく悪化させることがある。したがって、信号強度および／またはチャネルリソースの管理は、より低電力のワイヤレスＡＰによってサービスされるＡＴにかなりの利益を与えることができる。
【００３８】
上記の特定の例として、ＡＴが、小さいパスロスをもつＡＰをサービングＡＰとして選択することが有益である。これは、低いパスロス信号が送信ＡＰから所与の距離において失うエネルギーが少ないために起こり、同じ距離を進む高いパスロス信号よりも、受信機において高電力で受信される。したがって、送信ＡＰは、より少ない電力を利用して低いパスロス信号を送信し、依然として、受信機において同様のパフォーマンスを達成することができる。より低電力で送信することにより、平均してネットワークへの干渉がより小さくなり、ＡＰおよびＡＴが同様に利益を得る。低いパスロスの利益にもかかわらず、選択されたＡＰは、はるかに高い電力で送信する、遠くの、より高いパスロスのＡＰよりも、はるかに低い送信電力を有することがある。この場合、低いパスロスＡＰからの信号は、ＡＴにおいて受信されるとき、高いパスロスＡＰ信号よりもかなり弱くなり、高い干渉を生じることがある。代替シナリオでは、強い順方向リンク信号強度をもつワイヤレスＡＰは、ＡＴを認識しないプライベートＡＰであることがある。そのようなＡＰは、ＡＴのためのバックエンドネットワーク（たとえば、モバイル通信ネットワーク、インターネットなど）へのアクセスを拒否することができる。そのような場合、ＡＴは、ＡＴにおいて受信される、はるかに弱い信号を有する遠くのワイヤレスＡＰに接続することを強制させられることがある。
【００３９】
ＦＬ干渉を回避するために、サービングＡＰは、リソース利用メッセージ［ＲＵＭ］と呼ばれることもあるＩＡＲ信号を干渉ＡＰに送信することができる。ＩＡＲは、干渉ＡＰの送信電力を低減する要求を含むことができる。いくつかの態様では、要求は、送信することを回避するかまたは送信電力を低減するための、いくつかの信号次元（たとえば、周波数サブバンド、タイムスロットなどまたはそれらの組合せなどの信号リソース）を指定することができる。干渉ＡＰは、（たとえば、指定されたリソース上の）低減された送信電力レベルまたは干渉コミットメントレベルを示すＩＡＲに応答することができる。サービングＡＰと干渉ＡＰとを通信可能に結合するバックホールネットワークを介して、および／または干渉ＡＰによってサービスされるＡＴへの無線（ＯＴＡ）送信を介して、応答を干渉ＡＰによって転送して送信することができる。
【００４０】
干渉管理の少なくとも１つの態様では、少なくとも部分的にバックホールネットワークを利用してＩＡＲおよび／またはＩＡＲ応答を交換することができる。したがって、一例として、ＩＡＲをサービングＡＰからバックホールネットワークを介して干渉ＡＰに直接送信し、干渉ＡＰはバックホールネットワークを介して直接応答することができる。別の例として、サービングＡＰはＩＡＲを干渉ＡＰにＯＴＡで送信し、次いで、干渉ＡＰはバックホールを介して直接応答することができる。ＩＡＲをＯＴＡで送信することは、たとえば、サービングＡＰが、プリＩＡＲを、そのようなＡＰによってサービスされるＡＴに送信することを含むことができる。このコンテキストでは、プリＩＡＲは単に、ＡＴに対する、ＩＡＲメッセージを干渉ＡＰに転送する要求、またはＡＴがそうするように構成されている場合、ＩＡＲメッセージを生成し、干渉ＡＰに送信する要求とすることができる。したがって、端末は、ＩＡＲまたはＲＵＭメッセージを干渉ＡＰにＯＴＡで転送するか、またはＩＡＲまたはＲＵＭメッセージを生成し、干渉ＡＰにＯＴＡで送信することができる。上述のように、ＯＴＡ  ＩＡＲ／ＲＵＭへの応答は、バックホールネットワークを介してサービングＡＰによって受信できる。第３の例として、サービングＡＰは、ＩＡＲをバックホールを介して干渉ＡＰに直接送信する。干渉ＡＰは、サービングＡＰによってサービスされるＡＴを介して応答ＯＴＡを中継することによってＩＡＲに応答することができる。
【００４１】
ＩＡＲ目的のための干渉ＡＰを識別するために、サービングＡＰは、ＡＴによって与えられる信号品質報告を取得することができる。そのような報告は、周期的に、散発的に（たとえば、ＡＴが干渉ＡＰからのしきい値干渉を観測したとき）、またはサービングＡＰによって開始された要求時に送信できる。信号品質報告は、隣接ＡＰに関係するセル識別子（ＩＤ）のリストと、ＡＴによって観測される、各隣接ＡＰの対応する干渉レベルとを含むことができる。したがって、信号品質報告は、サービングＡＰが、ＡＴにおいて観測される１つまたは複数の有意のＦＬ干渉ＡＰを識別できるようにする。信号品質報告から干渉ＡＰが識別されると、適切なセルＩＤを利用して、サービングＡＰはＩＡＲ要求を干渉ＡＰに直接転送することができる。
【００４２】
本開示のいくつかの態様によれば、ＡＴは、部分再使用送信または低再使用送信について受信信号を分析することができる。そのようなコンテキストでは、低再使用送信は、完全再使用とは反対に、ワイヤレス信号の時間フレーム内の信号リソースの一部のみを利用してデータを送信すること指す。そのようなデータは、たとえば、捕捉パイロットおよび／または制御チャネルデータを含む信号のプリアンブルを備えることができる。部分／低再使用リソースは、信号の時間フレームの適切な時間（たとえば、サブフレーム）、周波数（たとえば、サブキャリア）、シンボル（たとえば、ＯＦＤＭシンボル）、および／または（たとえば、ＣＤＭＡで利用される）コードリソースを備えることができる。低再使用送信（たとえば、低再使用プリアンブル［ＬＲＰ］）を発見すると、ＡＴは、信号品質報告内で、隣接ＡＰを低再使用送信機と識別することができる。したがって、たとえば、隣接ＡＰのリストは、セルＩＤ、干渉レベル、ならびに各隣接ＡＰについてＬＲＰが検出されたかどうかを含むことができる。
【００４３】
（たとえば、サービングＡＰからバックホールを介して、および／またはＡＴからＯＴＡで）ＩＡＲを受信すると、干渉ＡＰは、ＩＡＲに従うべきかどうかを判定することができる。そのような判定は、ＩＡＲ中に含まれる優先／緊急／サービス品質（ＱｏＳ）レベルに少なくとも部分的に基づくことができる。いくつかの態様では、判定はまた、ＡＴにおいて観測される、干渉ＡＰと比較したサービングＡＰの相対チャネル利得に基づくことができる。相対チャネル利得は、たとえば、ＡＴによって送信される信号品質報告（たとえば、パイロット強度報告）から推定できる。他の態様では、相対チャネル利得は、ＡＴから受信したＯＴＡ  ＩＡＲの受信信号強度から推定できる。
【００４４】
干渉ＡＰがＩＡＲに従うと判定した場合、干渉ＡＰは、どれくらいの電力を送信すべきかを判定する。いくつかの態様では、（１つまたは複数の）ＩＡＲで示されるチャネルリソースに応じて送信電力を解析することができる。たとえば、ＩＡＲが、特定の周波数サブバンド、サブバンドのグループ、特定のタイムスロットおよび／またはタイムスロットのセットを与える場合、電力判定は、示されたチャネルリソースのみに関することができる。したがって、ＡＴが指定されたリソース上のサービングＡＰからの送信を受信している場合、干渉を大幅に低減または回避することができる。一方、干渉ＡＰによって送信される他のリソースは、ＡＴにおける干渉に著しい影響を及ぼすことなしに全電力送信を達成することができる。
【００４５】
（たとえば、特定の信号リソースに対して）干渉ＡＰの送信電力レベルを判定すると、干渉ＡＰはその判定をサービングＡＰに伝達することができる。本開示の一態様では、干渉ＡＰは、送信電力レベルと一致する（たとえば、特定の信号リソース上の）信号強度を有する電力決定信号（たとえば、電力決定パイロットチャネル［ＰＤＰＩＣＨ］）を送信する。ＡＴは、電力決定信号を受信し、そこから送信電力レベルを抽出することができる。抽出された送信電力レベルに基づいて、ＡＴは、干渉ＡＰの送信電力レベルと比較してサービングＡＰの信号強度に基づいて、予想される信号対雑音比（ＳＮＲ）を計算することができる。予想されるＳＮＲは、（たとえば、リソース品質インジケータチャネル［ＲＱＩＣＨ］の形式で）サービングＡＰに転送できる。
【００４６】
いくつかの態様では、サービングＡＰは、ＳＮＲを計算し、ＳＮＲをサービングＡＰに提出するようにＡＴを促すことができる。たとえば、サービングＡＰが、オリジナルのＩＡＲメッセージをバックホールネットワークを介して干渉ＡＰに送信し、ＡＴに関与しない可能性がある場合、サービングＡＰは、別途に、上記のＳＮＲを計算するようにＡＴを促すことができる。いくつかの態様では、干渉ＡＰがＩＡＲに従うことと応答をサービングＡＰに送信することとを条件として促すことができる。したがって、サービングＡＰは、干渉ＡＰからの低減された送信電力レベルを予想し、低減された送信電力レベルから生じるＳＮＲを測定するようにＡＴを促すことになる。他の態様では、サービングＡＰは、プリＩＡＲを送信することに単に基づいて、ＳＮＲを計算するようにＡＴを促すことができる。
【００４７】
本開示の代替／追加の態様によれば、干渉ＡＰは、ＩＡＲの受信に応答して、送信電力レベルをバックホールネットワークを介してサービングＡＰに直接伝達することができる。干渉ＡＰがＩＡＲに従って送信電力を変更すると、サービングＡＰおよび端末は、追跡干渉測定を実行して、前のＩＡＲの有効性を判定することができる。したがって、本開示の追加の一態様では、サービングＡＰは、干渉ＡＰの変更送信電力レベルの結果としてＡＴによって観測される干渉の推定値を与える、ＡＴからの信号品質報告をトリガすることができる。代替または追加の態様では、サービングＡＰは、追跡品質報告をトリガする代わりに、変更送信電力レベルを反映する干渉の推定値を備えるスケジュールされた信号品質報告をＡＴが周期的に送信するのを待つことができる。ＡＴの干渉推定値が取得されると、サービングＡＰは、次いで、バックホールネットワークを介して取得される送信電力レベル、および／またはＡＴからＯＴＡで受信される信号品質報告に基づいて、ＡＴによって観測される予想されるＳＮＲを計算することができる。特定の態様によれば、予想されるＳＮＲに従ってサービングＡＰからのデータをコーディングおよび／または変調することができる。したがって、サービングＡＰは、次いで、ＡＴにおけるかなりの干渉低減を実現するために、適切なコーディングまたは変調を用いて、および／または指定されたリソース上で適切な電力レベルで送信することができる。
【００４８】
ＦＬ干渉とは対照的に、逆方向リンク（ＲＬ）干渉はワイヤレスＡＰにおいて生じ、ＡＴによって行われるワイヤレス送信を混乱させることがある。たとえば、ワイヤレスＡＰに隣接するセル内で動作するＡＴによって干渉が引き起こされることがある。上記を示す一例として、ＡＴは、ＡＴとの比較的低いパスロス送信を有するサービングＡＰを選択することができる。ＡＴは、一般に、サービングＡＰにおいて確実な受信を行うのに十分な強度で、その信号を送信する。そのような信号は、（たとえば、ＡＴとそのＲＬにサービスするＡＰとの間のパスロスと同等またはそれよりも良好なパスロスを有する）隣接ＡＰにおいて受信され、隣接ＡＰが復調している信号に対して不要な干渉を構成することがある。サービングＡＰが、ＡＴに対する最も低いパスロスをもつＡＰでない場合、上記の状況は悪化することがある。これは、ＡＰ送信電力における大きい相違、またはＡＴが限定アクセスをもつプライベートＡＰの近傍にあるときを含む、いくつかの状況に起因することがある。
【００４９】
ＲＬ干渉を緩和するために、本開示は、干渉低減を管理するための複数の手法を提供する。一態様では、エアリンク介在ＲＬ干渉回避手法を利用することができる。別の態様では、バックホール介在ＲＬ干渉回避手法を利用することができる。上記の手法の組合せを利用することもできることを理解するべきである。
【００５０】
たとえば、少なくとも部分的にＯＴＡで実施される干渉回避では、サービングＡＰは、プリアサインメント信号（たとえば、プリＰＤＰＩＣＨ）をサービングＡＰによってサービスされるＡＴに送信することができる。プリアサインメント信号は、ＡＴによって利用されるＲＬデータ送信に関連する緊急レベルを含むことができる。いくつかの態様では、プリアサインメント信号はまた、ＲＬデータ送信が送信される特定のチャネルリソースを示すことができる。さらに、（ＡＴからの干渉を観測する）隣接ＡＰは、（たとえば、特定のリソース上の）送信電力を低減するようにＡＴに要求するＩＡＲメッセージ（たとえば、ＲＵＭ）を提出することができる。ＩＡＲメッセージは、隣接ＡＰのデータフローのＱｏＳ要件に少なくとも部分的に基づく優先レベルを含むことができる。ＡＴは、次いで、ＲＬデータ送信に関連する緊急レベルおよび隣接ＡＰの優先レベルに基づいて、（たとえば、特定のリソースに対する）送信電力レベルを判定することができる。ＡＴの送信電力レベルは、（たとえば、ＰＤＰＩＣＨメッセージで）サービングＡＰと隣接ＡＰとを含む近くのＡＰにブロードキャストされる。サービングＡＰは、次いで、ＡＴによってブロードキャストされる送信電力レベルと（たとえば、隣接ＡＰに関連する）隣接ＡＴによってブロードキャストされる送信電力レベルとに基づいて、ＡＴの電力密度プロファイル（ＰＤＰ）および／またはＳＮＲを判定することができる。サービングＡＰは、次いで、ＲＬ上の低減された通信を実現するために、（ＡＴからのＰＤＰＩＣＨに一致する）ＲＬ送信電力を変更し、パケットコーディング、パケット変調および／または指定されたリソースをスケジュールすることができる。
【００５１】
バックホールＲＬ干渉回避では、第１のＡＰは、ＡＰを通信可能に結合するバックホールネットワークを介してＩＡＲメッセージを隣接ＡＰに送信する。ＩＡＲは、隣接ＡＰによってサービスされる隣接セル内のＡＴによって引き起こされるＲＬ干渉を低減する要求を含むことができる。いくつかの態様では、ＩＡＲは、ＲＬ干渉の低減のための特定のチャネルリソースを指定することができる。代替態様では、第１のＡＰは、（たとえば、信号インターレース、サブバンドおよび／またはタイムスロットなどの特定の信号次元に対する）所望の干渉対熱比（ＩｏＴ）レベルと観測されたＩｏＴレベルとの差を示すことができる。ＩＡＲはさらに、要求の緊急レベルを含むことができる。
【００５２】
バックホールを介してＩＡＲを受信すると、隣接ＡＰは、干渉低減メッセージ（たとえば、電力決定メッセージ［ＰＤＭＳＧ］）を第１のＡＰに送信することができる。干渉低減メッセージはさらに、隣接ＡＰによってサービスされるＡＴが、ＲＬ上で第１のＡＰにもたらす可能性がある累積干渉の量を示すことができる。ＡＴの累積干渉は次のように判定できる。隣接ＡＰは、ＩＡＲで指定される緊急レベルと、第１のＡＰに対して著しいＲＬ干渉を引き起こす可能性がある隣接ＡＰによってサービスされるＡＴのＱｏＳ優先順位とに少なくとも部分的に基づいて、ＡＴの（１つまたは複数の）送信電力レベルを確立する。（１つまたは複数の）送信電力レベルが判定されると、次いで、確立された（１つまたは複数の）送信電力レベルでのＡＴによるＲＬ送信に基づいて、第１のＡＰにおける累積干渉を判定することができる。一例として、累積干渉は、ＡＴと隣接ＡＰとの間のパスロスと比較して、ＡＴと第１のＡＰとの間のパスロスに少なくとも部分的に基づいて計算できる。パスロス情報は、たとえば、ＡＴによって（たとえば、本明細書で指定するように、周期的に、散発的におよび／またはＡＰの要求時に）与えられるリソース、パイロット、および／またはチャネル品質報告において取得できる。第１のＡＰは、干渉低減メッセージを受信すると、第１のＡＰによってサービスされるＡＴにパケット形式およびパケット終了ターゲットを割り当てることができる。
【００５３】
上記および本明細書の他の箇所の干渉低減手法の各々では、ＲＬ上およびＦＬ上の両方で送信電力／干渉レベルコミットメントを特定のチャネルリソースに対して指定することができる。さらに、送信電力／干渉レベルコミットメントを特定の時間期間に対して指定すること、および特定の時間期間に限定することもできる。たとえば、ＩＡＲまたはＩＡＲへの応答は、開始時間および停止時間、開始時間および継続時間などを指定することができる。
【００５４】
本開示において使用する、「構成要素」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作しているプロセス、プロセッサ、オブジェクト、実行可能ファイル、実行スレッド、プログラム、デバイス、および／またはコンピュータとすることができるが、これらに限定されない。１つまたは複数のモジュールがプロセスおよび／または実行スレッド内に常駐することができ、モジュールは、１つの電子デバイス上に配置すること、および／または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別の構成要素と対話する、および／またはインターネットなどのネットワーク上で信号を介して他のシステムと対話する１つの構成要素からのデータ）を有する信号に従ってローカルプロセスおよび／またはリモートプロセスを介して通信することができる。さらに、当業者なら理解するように、本明細書で説明するシステムの構成要素またはモジュールは、それに関して説明する様々な態様、目的、利点などを容易に達成することができるように追加の構成要素／モジュール／システムによって再構成および／または補完でき、所与の図に記載の正確な構成に限定されない。
【００５５】
さらに、アクセス端末、すなわちＡＴに関して、本明細書では様々な態様が説明されている。ＡＴは、システム、加入者ユニット、加入者局、移動局、モバイル、モバイル通信デバイス、モバイルデバイス、リモート局、リモート端末、ユーザ端末（ＵＴ）、ユーザエージェント（ＵＡ）、ユーザデバイス、またはユーザ機器（ＵＥ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を円滑にするワイヤレスモデムもしくは同様の機構に接続された他の処理デバイスとすることができる。
【００５６】
１つまたは複数の例示的な実施形態では、説明する機能は、ハードウェア、ソフトウェア、ファームウェア、ミドルウェア、マイクロコード、またはそれらの適切な組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を円滑にするいかなる媒体をも含む通信媒体との両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、スマートカード、およびフラッシュメモリデバイス（たとえば、カード、スティック、キードライブ．．．）、あるいは命令またはデータ構造の形態の所望のプログラムコードを搬送または記憶するために使用でき、コンピュータによってアクセスできる任意の他の媒体を備えることができる。さらに、いかなる接続も正しくはコンピュータ可読媒体と呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００５７】
ハードウェア実装の場合、本明細書で開示する態様に関して説明する処理ユニットの様々な例示的な論理、論理ブロック、モジュール、および回路は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、またはそれらの組合せの中で実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成としても実装できる。さらに、少なくとも１つのプロセッサは、本明細書で説明するステップおよび／または動作の１つまたは複数を実行するように動作可能な１つまたは複数のモジュールを備えることができる。
【００５８】
さらに、本明細書で説明する様々な態様または特徴は、標準のプログラミングおよび／またはエンジニアリング技法を使用した方法、装置、または製造品として実装できる。さらに、本明細書で開示する態様に関して説明する方法またはアルゴリズムのステップおよび／または動作は、直接ハードウェアで実施するか、プロセッサによって実行されるソフトウェアモジュールで実施するか、またはその２つの組合せで実施することができる。さらに、いくつかの態様では、方法またはアルゴリズムのステップおよび／または動作は、コンピュータプログラム製品に組み込むことができる、機械可読媒体および／またはコンピュータ可読媒体上のコードおよび／または命令の少なくとも１つまたは任意の組合せ、あるいはそのセットとして常駐することができる。本明細書で使用する「製造品」という用語は、任意のコンピュータ可読デバイスまたは媒体からアクセス可能なコンピュータプログラムを包含するものとする。
【００５９】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを使用する」という表現は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００６０】
本明細書で使用する「推論する」または「推論」という用語は、概して、事象および／またはデータを介して捕捉される観測のセットから、システム、環境、および／またはユーザの状態を推理または推論するプロセスを指す。推論は、特定のコンテキストまたは動作を識別するために使用でき、または、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【００６１】
次に図を参照すると、図１は、たとえば１つまたは複数の態様とともに使用できる、複数の基地局１１０（たとえば、ワイヤレスＡＰ）および複数の端末１２０（たとえば、ＡＴ）をもつワイヤレス通信システム１００を示している。基地局（１１０）は、一般に、端末と通信する固定局であり、アクセスポイント、ノードＢ、または何らかの他の用語で呼ばれることもある。各基地局１１０は、図１において１０２ａ、１０２ｂ、および１０２ｃとラベルされた３つの地理的エリアとして示された、特定の地理的エリアまたはサービスエリアの通信サービスエリアを与える。「セル」という用語は、その用語が使用されるコンテキストに応じて基地局および／またはそのサービスエリアを指すことができる。システム容量を改善するために、基地局の地理的エリア／サービスエリアは、複数のより小さいエリア（たとえば、図１のセル１０２ａによる、３つの、より小さいエリア）１０４ａ、１０４ｂ、および１０４ｃに分割できる。より小さい各エリア（１０４ａ、１０４ｂ、１０４ｃ）は、それぞれのベーストランシーバサブシステム（ＢＴＳ）によってサービスされ得る。「セクタ」という用語は、その用語が使用されるコンテキストに応じてＢＴＳおよび／またはそのサービスエリアを指すことができる。セクタ化されたセルの場合、そのセルの全セクタ用のＢＴＳは、典型的には、そのセルの基地局内の同一の場所に配置される。本明細書で説明する伝送技術は、セクタ化されたセルをもつシステムならびにセクタ化されないセルをもつシステムに使用できる。簡単のために、以下の説明では、別段の規定がない限り、「基地局」という用語は、セクタにサービスする固定局、ならびにセルにサービスする固定局に対して総称的に使用する。
【００６２】
端末１２０は、一般に、システム全体にわたって分散され、各端末１２０は固定でも移動でもよい。端末１２０は、上述のように、移動局、ユーザ機器、ユーザデバイス、または何らかの他の用語で呼ばれることもある。端末１２０は、ワイヤレスデバイス、携帯電話、携帯情報端末（ＰＤＡ）、ワイヤレスモデムカードなどとすることができる。各端末１２０は、所与の瞬間において、（たとえば、ＦＬとも呼ばれる）ダウンリンクおよび（たとえば、ＲＬとも呼ばれる）アップリンク上の０、１つ、または複数の基地局１１０と通信することができる。ダウンリンクは基地局から端末への通信リンクを指し、アップリンクは端末から基地局への通信リンクを指す。
【００６３】
集中型アーキテクチャの場合、システムコントローラ１３０が、基地局１１０に結合し、基地局１１０の調整および制御を行う。分散アーキテクチャの場合、基地局１１０は、必要に応じて（たとえば、基地局１１０を通信可能に結合するバックホールネットワークを通して）互いに通信することができる。順方向リンク上のデータ送信は、しばしば１つのアクセスポイントから１つのアクセス端末へ、順方向リンクおよび／または通信システムによってサポートできる最大データ転送速度で、またはその近くで行われる。順方向リンクの追加のチャネル（たとえば、制御チャネル）は、複数のアクセスポイントから１つのアクセス端末に送信できる。逆方向リンクのデータ通信は、１つのアクセス端末から１つ以上のアクセスポイントに行うことができる。
【００６４】
図２は、様々な態様による、アドホックまたは無計画／未完の計画ワイヤレス通信環境２００の図である。システム２００は、互いに、および／または１つまたは複数のＡＴ２０４に対してワイヤレス通信信号の受信、送信、中継などを行う、１つまたは複数のセルおよび／またはセクタ内の１つまたは複数のワイヤレスＡＰ２０２を備えることができる。図示のように、各ＡＰ２０２は、２０６ａ、２０６ｂ、２０６ｃおよび２０６ｄとラベルされた４つの地理的エリアとして示される特定の地理的エリアの通信サービスエリアを与えることができる。各ＡＰ２０２は、当業者なら理解されるように、送信機チェーンと受信機チェーンとを備えることができる。送信機チェーンおよび受信機チェーンの各々は、信号の送信および受信に関連する複数の構成要素（たとえば、プロセッサ、変調器、マルチプレクサ、復調器、デマルチプレクサ、アンテナなど）を備えることができる。ＡＴ２０４は、たとえば、携帯電話、スマートフォン、ラップトップ、ハンドヘルド通信デバイス、ハンドヘルドコンピューティングデバイス、衛星ラジオ、全地球測位システム、ＰＤＡ、および／またはワイヤレスネットワーク２００上で通信するための任意の他の適切なデバイスとすることができる。システム２００は、本明細書に記載のように、様々なＡＰ２０２を結合するバックホールネットワーク（図示せず）を少なくとも部分的に利用して、ワイヤレス通信環境（２００）における隣接セルの間の干渉低減を円滑にするために、本明細書で説明する様々な態様とともに使用することができる。
【００６５】
図３に、本開示の１つまたは複数の態様によるワイヤレスＡＮのための例示的なＦＬ干渉回避管理のブロック図を示す。図示のように、干渉回避例は、２つのワイヤレスＡＰ（３０２、３０６）と、ＡＴ３０４とを備える。第１のワイヤレスＡＰ（３０２）はＡＴ３０４のサービングＡＰである。第２のワイヤレスＡＰ（３０６）は、サービングＡＰ３０２およびＡＴ３０４に隣接するセクタ／セルのＡＰである。第２のワイヤレスＡＰ３０６は隣接ＡＰ３０６と呼ばれ、隣接ＡＰ３０６の送信はサービングＡＰ３０２およびＡＴ３０４に対して干渉を生じることがある。図３に示す特定の例は、ＡＴ３０４において経験される、隣接ＡＰ３０６によって引き起こされるＦＬ干渉に関する（ＲＬ干渉管理の例については以下の図４を参照）。
【００６６】
図示の例は、時間（Ｔ）＝０で開始し、時間Ｔ（Ｔは正の数）へ進む、（サービングＡＰ３０２を表すブロックの上方に示す）様々なタイムスロット、およびＴ＋Ｘ、Ｔ＋２Ｘなどにおける時間「Ｘ」（たとえば、ワイヤレスチャネルの１０ミリ秒のフレーム）の反復によって変調される。隣接ＡＰ３０６が、（たとえば、特定のサービングＡＰタイムスロットにおいて）サービングＡＰ３０２と同期して動作するか、または（たとえば、サービングＡＰ３０２の時間フレームとは無関係に）非同期で動作することができることが理解されるべきである。さらに、ＯＴＡ干渉回避機構と連携して送信されるメッセージは、破線および破線のメッセージブロックによって示されている。対照的に、バックホールネットワーク干渉回避機構と連携して送信されるメッセージは、実線および実線のメッセージブロックによって示されている。ただし、主題の例は、バックホール援助干渉回避を円滑にするために、バックホールメッセージング手法とＯＴＡメッセージング手法の組合せを利用することができることが理解されるべきである。
【００６７】
バックホールメッセージング手法では、タイムスロット＝０において、サービングＡＰ３０２は、サービングＡＰ３０２と隣接ＡＰ３０６とを通信可能に結合するバックホールネットワークを介してバックホールＩＡＲ（たとえば、ＲＵＭ要求）を隣接ＡＰ３０６に与える。隣接ＡＰ３０６は、本明細書で説明するように、バックホールＩＡＲに電力決定メッセージ（たとえば、ＰＤＭＳＧ）で応答し、バックホールネットワークを介してサービングＡＰ３０２に電力決定メッセージを送信する。タイムスロット＝Ｔ＋Ｘにおいて、サービングＡＰ３０２は、ＡＴ３０４が経験する、隣接ＡＰ３０６からの干渉を判定するために、ＡＴ３０４からの信号／チャネル品質報告の要求（たとえば、プリリソース品質インジケータチャネル［ＰＲＥ−ＲＱＩＣＨ］）を開始する。タイムスロット＝Ｔ＋２Ｘにおいて、ＡＴ３０４は、信号／チャネル品質報告要求に品質報告（たとえば、ＲＱＩＣＨ）で応答する。信号／チャネル品質報告および隣接ＡＰ３０６の電力決定メッセージに基づいて、サービングＡＰ３０２は、本明細書で説明するように、特定のパケット形式で、特定のリソースに対して、特定の時間期間の間など、データをスケジュールする。
【００６８】
ＯＴＡ機構では、タイムスロット＝Ｔにおいて、サービングＡＰ３０２は、ＡＴ３０４にＯＴＡで送信されるプリＩＡＲ（または、たとえば、プリＲＵＭ要求）を開始する。時間＝Ｔ＋Ｘにおいて、ＡＴ３０４は、プリＩＡＲに基づいて隣接ＡＰ３０６にＩＡＲメッセージ（または、たとえば、ＲＵＭ）を転送する。ＩＡＲメッセージは、サービングＡＰ３０２のＦＬ優先順位、および／またはＡＴ３０４においてサービングＡＰ３０２および隣接ＡＰ３０６について観測される相対チャネル利得を含むことができる。さらに、時間＝Ｔ＋Ｘにおいて、サービングＡＰ３０２は、ＡＴ３０４へのＦＬ送信のための意図された電力を示す電力決定メッセージ（たとえば、ＰＤＰＩＣＨ）をＡＴ３０４に送信する。さらに、隣接ＡＰ３０６は、ＦＬ優先順位および／または相対チャネル利得に少なくとも部分的に基づくＦＬ送信電力レベルを示す電力決定メッセージ（たとえば、ＰＤＰＩＣＨ）をＡＴ３０４に送信する。時間Ｔ＋２Ｘにおいて、ＡＴ３０４は、隣接ＡＰ３０６および／またはサービングＡＰ３０２の電力決定メッセージに基づいて予想されるＳＮＲを推定し、信号／チャネル品質インジケータ（たとえば、ＲＱＩＣＨ）でＳＮＲをサービングＡＰ３０２に転送する。サービングＡＰ３０２は、ＡＴ３０４から信号／チャネル品質インジケータを受信し、（たとえば、（１つまたは複数の）選択されたチャネルリソース、ＩＡＲ有効期間および／または同様のものにおける）ＳＮＲに基づいて適切な電力レベルでＦＬデータ送信をスケジュールする。
【００６９】
上述のように、干渉回避を達成するためにバックホールメッセージングとＯＴＡメッセージングの組合せを利用することができる。たとえば、サービングＡＰ３０２はバックホールＩＡＲを隣接ＡＰ３０６に送信し、隣接ＡＰ３０６は、ＡＴ３０４にＯＴＡの電力決定メッセージで応答する。代替的に、サービングＡＰ３０２はＡＴ３０４へのプリＩＡＲをＯＴＡで開始し、ＡＴ３０４は、プリＩＡＲに基づいてＩＡＲメッセージを隣接ＡＰ３０６に送信する。隣接ＡＰ３０６は、バックホールネットワークを介してサービングＡＰ３０２に電力決定メッセージで応答する。当技術分野で知られているか、または本明細書に記載されたコンテキストを通して当業者に知らされる、バックホールシグナリングとＯＴＡシグナリングの他の組合せは、本開示に組み込まれる。
【００７０】
図４に、ワイヤレスＡＮのワイヤレスＡＰ間で少なくとも部分的にバックホールネットワークを利用するＲＬ干渉回避管理の例のブロック図を示す。図３に示し、上記で説明したＦＬと同様に、図示のＲＬ干渉回避はバックホール手法とＯＴＡ手法とを備える。本開示の態様に従って両方の手法の適切な組合せを実装することができることが理解される。
【００７１】
破線および破線のメッセージブロックによって示されるバックホール手法では、本明細書で説明するように、サービングＡＰ４０２はバックホールＩＡＲ（たとえば、バックホールＲＵＭ）を隣接ＡＰ４０６に送信する。バックホールＩＡＲは、サービングＡＰ４０２によってサービスされるＡＴ４０４のＲＬ通信に対する緊急レベルを示すことができる。いくつかの態様では、バックホールＩＡＲは、サービングＡＰ４０２の観測されたＩｏＴとターゲットＩｏＴとの差を備えることができる。隣接ＡＰ４０６は、バックホールネットワークを介してサービングＡＰ４０２に送信される電力決定メッセージでバックホールＩＡＲに応答する。電力決定メッセージは、本明細書で説明するように、隣接ＡＰ４０６によってサービスされるＡＴが、ＲＬ上でサービングＡＰにもたらす可能性がある累積干渉の量を備えることができる。電力決定メッセージを受信すると、サービングＡＰ４０２は、（たとえば、特定のチャネルリソースに対して、ＩＡＲおよびＩＡＲ応答の指定された有効期間の間など）ＡＴ４０４のための適切な送信電力レベルを割り当てる。
【００７２】
実線および実線のメッセージブロックによって示されるＯＴＡ手法では、サービングＡＰ４０２は、ＡＴ４０４によって開始されるＲＬ送信の緊急レベルを備えるプリアサインメントメッセージ（たとえば、プリＰＤＰＩＣＨ）をＡＴ４０４に送信する。さらに、隣接ＡＰ４０６は、隣接ＡＰ４０６の近くのセクタ中のＡＴ（４０４）による（たとえば、いくつかの信号リソースに対する、指定された有効期間中など）送信電力レベルの低減を要求する、ＩＡＲ（または、たとえば、ＯＴＡ  ＲＵＭ）をＡＴ４０４に送信する。ＩＡＲ要求は、隣接ＡＰ４０６に関連するＲＬ送信に関連する優先レベルを備えることができる。ＡＴ４０４は、サービングＡＰ４０２の緊急レベルおよび隣接ＡＰ４０６の優先レベルに基づいて送信電力レベルを計算し、（たとえば、ＰＤＰＩＣＨなどのパイロットチャネルを使用して）送信電力レベルをサービングＡＰにＯＴＡで転送する。本明細書で説明するように、サービングＡＰ４０２は、次いで、ＡＴ４０４のＲＬデータをスケジュールする。
【００７３】
図５に、本開示の態様による基地局５０２と１つまたは複数のＡＴ５０４とを備える例示的なシステム５００のブロック図を示す。基地局５０２は、バックホールシグナリングを利用して、ワイヤレスＡＮの干渉回避を管理するように構成できる。基地局５０２は、基地局５０２によってサービスされる（１つまたは複数の）ＡＴ５０４の干渉の低減を要求すること、ならびに他のそのような基地局（図示せず）によって提出される（１つまたは複数の）干渉低減要求に応答することを行うように構成できる。さらに、基地局５０２は、干渉回避を達成するために、ＯＴＡシグナリングまたはバックホールデータ交換、またはそれらの組合せを使用することができる。
【００７４】
基地局５０２（たとえば、アクセスポイント、．．．）は、１つまたは複数のモバイルデバイス５０４から複数の受信アンテナ５０６を通して（１つまたは複数の）信号および無線（ＯＴＡ）メッセージを受信する受信機５１０と、変調器５２０によって与えられる符号化／変調ＯＴＡメッセージを（１つまたは複数の）送信アンテナ５０８を通して１つまたは複数のモバイルデバイス５０４に送信する送信機５３０とを備えることができる。上記に加えて、受信機５１０および送信機５３０は、（たとえば、インターネットプロトコル［ＩＰ］、伝送制御プロトコル［ＴＣＰ］などのデータ通信技法を使用して）バックホールネットワークを介して他のネットワーク基地局、アクセスポイントなどとデータを交換することができる。受信機５１０は、受信アンテナ５０６から情報を受信し、さらに、（１つまたは複数の）モバイルデバイス５０４によって送信されたアップリンクデータを受信する信号受信者（図示せず）を備えることができる。さらに、受信機５１０は、受信情報を復調する復調器５１２に動作可能に連結される。復調されたシンボルは、受信信号プロセッサ５１４を備える送受信プロセッサ５１４によって分析される。送受信プロセッサ５１４は、基地局５０２によって与えられる機能に関係する情報を記憶するメモリ５１６に結合される。一例では、記憶された情報は、ＩＡＲメッセージを生成し、無線でまたはバックホールネットワークを介してＩＡＲメッセージを発行し、および／またはＩＡＲメッセージに応答するためのプロトコルを備えることができる。詳細には、記憶された情報は、本明細書で説明するように、（１つまたは複数の）ＡＴ（５０４）または隣接セルのＡＴ５０４の干渉レベルを推定すること、（１つまたは複数の）干渉レベルに基づいて選択されたチャネルリソースに対する適切な送信電力を判定すること、（１つまたは複数の）ＡＴ５０４からの信号品質インジケータメッセージを要求／分析することなどのための規則を備えることができる。
【００７５】
いくつかの態様によれば、送受信プロセッサ５１４は送信プロセッサを備えることができる。送信プロセッサ（５１４）は、ＯＴＡおよび／またはバックホールシグナリングを利用して隣接基地局に対する干渉を管理するのに適した様々な機能を実行することができる。たとえば、送信プロセッサ（５１４）は、バックホールネットワークを使用して、１つまたは複数のＩＡＲメッセージを隣接基地局に送信することができる。いくつかの態様では、送信プロセッサ（５１４）は、変調器５２８、送信機５３０および送信アンテナ５０８を使用することによって、（１つまたは複数の）ＡＴ５０４とＯＴＡで通信することができる。そのような通信を利用して、（１つまたは複数の）ＡＴにチャネル品質インジケータを要求し、チャネル品質インジケータを利用して、隣接基地局の信号または信号レベルに基づいて、（１つまたは複数の）ＡＴによって観測される干渉レベルを計算することができる。少なくともいくつかの態様では、送信プロセッサ（５１４）は、基地局５０２によって観測される（１つまたは複数の）ＡＴ５０４に関連するデータフローの干渉対熱比（ＩｏＴ）レベルを判定し、観測されたＩｏＴレベルをメモリ５１６に記憶された所望のＩｏＴレベルと比較することができる。さらに、送信プロセッサ（５１４）は、（１つまたは複数の）ＡＴに関連するデータフローの優先レベルを（たとえば、そのようなフローの達成されたＱｏＳと比較した、コミットされたＱｏＳに基づいて）判定し、優先レベルをＩＡＲ要求に結合することができる。少なくともいくつかの態様では、送信プロセッサ（５１４）はさらに、たとえばメモリ５１６に記憶されたＩＡＲの有効期間を判定することができる。ＩＡＲに有効期間を含めることができ、有効期間を利用して、ＩＡＲに基づいて干渉の低減の時間フレームを判定することができる。特定のリソースに対する干渉低減が要求された場合、送信プロセッサ（５１４）は、適切なように、タイムスロットのサブバンド、タイムスロットのセットのサブバンド、タイムスロットのすべてのサブバンド、またはタイムスロットのセットのすべてのサブバンドを指定することができる。本明細書で説明するように、（１つまたは複数の）ＡＴ５０４の送信電力を計算するための信号電力モジュール５１８に送信プロセッサ（５１４）の判定を転送することができる。
【００７６】
上述のように、送受信プロセッサ５１４は受信信号プロセッサ（５１４）を備えることができる。そのようなプロセッサ（５１４）は、受信機５１０からＯＴＡでまたはバックホールネットワークを介して情報を取得することができる。いくつかの態様では、送信プロセッサ（５１４）によって提出されたＩＡＲへの応答を受信信号プロセッサ（５１４）によって取得することができる。受信信号プロセッサ（５１４）は、ＩＡＲに基づいて少なくとも１つのワイヤレス送信機（たとえば、隣接ＡＴまたは基地局）の干渉コミットメントを表す情報を抽出することができる。干渉コミットメントを信号電力モジュール５１８に転送して、（１つまたは複数の）ＡＴ５０４および／または基地局５０２の送信電力を計算することができる。いくつかの態様では、干渉コミットメントを表す情報は、隣接セル／セクタ内のＡＴからの送信電力コミットメントを備えることができる。さらに、受信信号プロセッサ（５１４）は、（１つまたは複数の）ＡＴ５０４または隣接セル／セクタ内のＡＴからワイヤレス通信品質報告を取得することができる。干渉モジュール５２２は、品質報告を利用して、電力送信レベルを、（１つまたは複数の）ＡＴ５０４および／または隣接ＡＴによって経験される、干渉レベル、ＳＮＲレベル、および／または同様のものにマッピングすることができる。干渉モジュール５２２は、送信電力／干渉レベルマップに基づいて、（１つまたは複数の）ＡＴに対して有意の干渉源として働くワイヤレス送信機を識別することができる。上記に加えて、品質報告を、周期的に、（たとえば、ＡＴにおけるしきい値干渉に基づいて）散発的に、または送信プロセッサ（５１４）からの要求時に受信することができる。そのような品質報告はさらに、送信プロセッサ（５１４）によって判定されるデータフローの優先順位、および／または隣接セクタ内の干渉ＡＴの緊急レベルに基づく、（１つまたは複数の）ＡＴ５０４の選択された送信電力を備えることができる。選択された送信電力は、（たとえば、受信信号プロセッサ５１４によって取得された）１つまたは複数の隣接ＡＴの送信電力と比較した、そのような送信電力に基づいて、（１つまたは複数の）ＡＴの電力密度プロファイルおよび／または予想されるＳＮＲを判定する計算モジュールに与えることができる。データスケジューラ５２４は、送信電力レベルおよび／または予想されるＳＮＲを利用して、選択されたチャネルリソースにおいて、判定された有効期間の間、および／または（１つまたは複数の）ＡＴのための選択されたコーディング／変調を利用して、送信電力をスケジュールすることができる。そのようなスケジューリングは、本明細書で説明するように、隣接基地局および／または（１つまたは複数の）ＡＴによって与えられる電力レベルおよび／または干渉コミットメントレベルに基づいて、（１つまたは複数の）ＡＴにかなりの干渉低減を与えることができる。
【００７７】
本開示の少なくとも１つの追加の態様では、基地局５０２は優先順位モジュール５２６を備えることができる。優先順位モジュール５２６は、別の基地局から受信信号プロセッサ（５１４）によって取得された、（たとえば、バックホールネットワークを介して配信された）ＩＡＲに従うべきかどうかを判定するように構成できる。判定は、ＩＡＲの優先レベルと、基地局５０２に関連するＲＬまたはＦＬ送信の緊急レベルとの比較に基づくことができる。（１つまたは複数の）ＡＴまたは（１つまたは複数の）隣接ＡＴのデータフローのＱｏＳレベルに基づいて優先順位および／または緊急レベルを判定することができる。さらに、優先順位モジュール５２６は、ＩＡＲで与えられる期間に基づいて、またはメモリ５１６に記憶された指定期間に基づいて、そのような判定のための有効期間を判定することができる。優先順位モジュール５２６はさらに、ＩＡＲに適用可能な１つまたは複数のチャネルリソースを判定し、その判定は、そのようなチャネルリソースに対する基地局５０２のＱｏＳの必要と比較して、要求されたチャネルリソースに少なくとも部分的に基づくことができる。優先順位モジュール５２６の判定の結果は、本明細書で説明するように、基地局の他の構成要素（５１４、５１８、５２０、５２２、５２４）がそのような構成要素に関連する機能を実行するために、送信プロセッサ（５１４）に与えることができる。
【００７８】
図６に、いくつかの態様による、バックホールＩＡＲを円滑にすることができるモバイルデバイス（たとえば、ＡＴ）６０２を備える例示的なシステム６００のブロック図を示す。モバイルデバイス６０２は、ワイヤレスＡＮの１つまたは複数の基地局６０４（たとえば、アクセスポイント）にワイヤレスに結合するように構成できる。モバイルデバイス６０２は、当技術分野で知られているように、ＦＬチャネル上で基地局６０４からＯＴＡメッセージを受信し、ＲＬチャネル上でＯＴＡメッセージに応答することができる。さらに、モバイルデバイス６０２は、ワイヤレスＡＮの基地局（６０４）間でＯＴＡ干渉回避メッセージングを円滑にすることができる。たとえば、モバイルデバイス６０４は、本明細書で説明するように、および／または当技術分野で知られているように、基地局の間でＩＡＲメッセージを受信し、転送し、モバイルデバイス６０２の受信機（６０８）において瞬時にチャネル品質を判定し、ＲＬデータ用にモバイルデバイス６０２に割り当てられた緊急レベルおよび競合するＩＡＲ要求の優先レベルに基づいてモバイルデバイス６０２の許される送信電力を計算し、またはチャネル品質報告を基地局６０４に送信する。
【００７９】
モバイルハンドセット６０２は、信号（たとえば、モバイルハンドセット６０２に割り当てられたシステムアドレスを利用して基地局６０４によって送信されたページングイベント）を受信する少なくとも１つのアンテナ６０６（たとえば、入力インターフェースを備える送受信機またはそのような受信機のグループ）と、受信信号に対して典型的な動作（たとえば、フィルタ処理、増幅、ダウンコンバートなど）を実行する（１つまたは複数の）受信機６１０とを含む。少なくともいくつかの態様によれば、（１つまたは複数の）送受信プロセッサ６１２は、（１つまたは複数の）復調器６１２から受信した信号を分析し、分析された信号から、モバイルハンドセット６０２にワイヤレスに結合されたモバイルネットワークによって割り当てられるシステムＩＰアドレスを取得することができる（たとえば、少なくともいくつかの態様によれば、そのようなシステムＩＰアドレスは、デバイスモビリティを独立して管理するネットワークに関連付けられる）。一般に、アンテナ６０６および送信機６２２（トランシーバと総称される）は、（１つまたは複数の）基地局６０４とのワイヤレスデータ交換を円滑にするように構成できる。
【００８０】
アンテナ６０６および（１つまたは複数の）受信機６１０はまた、受信シンボルを復調し、それらを評価のために（１つまたは複数の）送受信プロセッサ６１２に供給することができる復調器６１０に結合できる。（１つまたは複数の）送受信プロセッサ６１２は、モバイルハンドセット６０２の１つまたは複数の構成要素（６０６、６０８、６１０、６１４、６１６、６１８、６２０、６２２）を制御および／または参照することができることが理解されるべきである。さらに、（１つまたは複数の）送受信プロセッサ６１２は、モバイルハンドセット６０２の機能を実行することに関係する情報または制御権を備える１つまたは複数のモジュール、アプリケーション、エンジンなど（６１６、６１８）を実行することができる。たとえば、そのような機能は、本明細書で説明するように、リモートソース（６０４）からＩＡＲ要求をＯＴＡで受信すること、モバイルハンドセット６０２の着信通信を識別するために受信データを復号すること、受信機６０８において干渉信号およびそのような干渉のソースを判定すること、サービング基地局（６０４）によって供給されたパイロット信号に基づいて送信電力を調節すること、チャネル／信号品質報告を１つまたは複数の基地局（６０４）に与えること、または同様の動作を含むことができる。
【００８１】
モバイルハンドセット６０２はさらに、（１つまたは複数の）送受信プロセッサ６１２に動作可能に結合されたメモリ６１４を含むことができる。メモリ６１４は、送受信などすべきデータと、リモートデバイス（６０４）とのワイヤレス通信を行うのに適した命令とを記憶することができる。さらに、メモリ６１６は、上記の（１つまたは複数の）送受信プロセッサ６１２によって実行されるモジュール、アプリケーション、エンジンなど（６１６、６１８）を記憶することができる。
【００８２】
本開示の特定の態様によれば、（１つまたは複数の）送受信プロセッサ６１２は、変調器６２０および送信機６２２を制御するように構成された送信プロセッサ（６１２）と、アンテナ６０６および受信機６０８において取得され、復調器６１０において復調された情報を抽出するように構成された受信信号プロセッサ（６１２）とを備えることができる。送信プロセッサは、たとえば、送信電力をモバイルデバイス６０２において観測される干渉にマッピングすることを円滑にするために、チャネル品質報告をサービング基地局（６０４）に与えることができる。そのような品質報告は、周期的に、（たとえば、受信信号プロセッサ６１２によって観測されるしきい値干渉レベルの観測に基づいて）散発的に、または基地局６０４からの要求時に基地局６０４に対して更新できる。
【００８３】
受信信号プロセッサ（６１２）は、上述のように、サービング基地局６０４からＩＡＲメッセージを取得することができる。ＩＡＲメッセージは、たとえば、送信プロセッサ（６１２）によってサービング基地局（６０４）に与えられるチャネル／品質報告の結果に基づくことができる。たとえば、サービング基地局（６０４）が品質報告からモバイルデバイス６０２におけるしきい値ＦＬ干渉を判定した場合、ＩＡＲを発行し、干渉基地局（６０４）にモバイルデバイス６０２を介して転送することができる。さらに、モバイルデバイス６０２は、モバイルデバイス６０２の電力決定メッセージを管理し、隣接ワイヤレス送信機（６０４）からの同様のメッセージを受信および／または処理するように構成された電力管理モジュール６１６を備えることができる。たとえば、電力管理モジュール６１６は、モバイルデバイス６０２が隣接基地局に提出したＩＡＲメッセージに基づいて、そのような隣接基地局からＲＬ電力決定メッセージを取得することができる。電力決定メッセージを利用して、電力決定メッセージで指定された送信電力レベルでモバイルデバイス６０２において観測されるチャネル干渉に基づいて、モバイルデバイス６０２における予想されるＳＮＲを推定することができる。サービング基地局（６０４）のＦＬ送信レベル、コーディング、変調、および／または同様のものを円滑にするために、ＳＮＲをサービング基地局（６０４）に転送することができる。
【００８４】
隣接基地局（６０４）のＲＬ干渉判定では、電力管理モジュール６１６は、サービングおよび隣接基地局（６０４）に対するモバイルデバイス６０２のチャネル利得を判定することができる。そのような情報は、そのような基地局（６０４）に対するパスロス、または他のチャネル品質状態（たとえば、優先順位モジュール６１８によって行われるＱｏＳ判定）に基づくことができる。電力管理モジュール６１６によって判定された相対チャネル利得係数を、送信プロセッサ（６１２）に与え、隣接および／またはサービング基地局（６０４）に転送することができる。モバイルデバイス６０２のＲＬデータ送信では、電力管理モジュール６１６はさらに、隣接基地局（６０４）からの受信信号プロセッサ（６１２）において取得されたＩＡＲのＩＡＲ優先レベルと比較して、（たとえば、サービング基地局６０４からの受信信号プロセッサ６１２から取得された）ＲＬデータの緊急レーティングに少なくとも部分的に基づいて、モバイルデバイス６０２の送信電力レベルを判定することができる。いくつかの態様では、送信優先レベルは、本明細書で説明するように、送信プロセッサ（６１２）がサービング基地局（６０４）に提出するチャネル品質報告中に含めることができ、そのような報告は、周期的に、散発的に、または要求に基づいて提出される。
【００８５】
１つまたは複数の他の態様によれば、モバイルデバイス６０２は、モバイルデバイス６０２のサービス品質優先順位を判定し、隣接基地局（６０４）に転送されるＩＡＲにサービス品質優先順位を与える優先順位モジュール６１８を備えることができる。サービス品質優先順位は、たとえばメモリ６１４に記憶された、そのようなフローのターゲットＱｏＳファクタと比較して、モバイルデバイス６０２のデータフローの観測されたＱｏＳファクタに基づくことができる。さらに、優先順位モジュール６０２は、モバイルデバイス６０２のデータフローの緊急レベルと比較して、受信したＩＡＲの優先順位をパースすることができる。パースされた優先順位対緊急度を、メモリに記憶された指定と比較し、電力管理モジュール６１６に転送することができる。そのようなモジュール６１６は、優先順位対緊急度と送信指定とに基づいて、モバイルデバイス６０２の送信電力レベルを計算することができる。
【００８６】
上述のシステムについては、いくつかの構成要素、モジュールおよび／または通信インターフェースの間の相互作用に関して説明した。そのようなシステムおよび構成要素／モジュール／インターフェースは、本明細書で指定された構成要素もしくは下位構成要素、指定された構成要素もしくは下位構成要素の一部、および／または追加の構成要素を含むことができることを諒解されたい。たとえば、システムは、基地局５０２、モバイルデバイス６０２、サービングＡＰ３０２、および隣接ＡＰ３０６、またはこれらおよび他の構成要素の様々な組合せを含むことができる。下位構成要素は、親構成要素内に含まれるのではなく、他の構成要素に通信可能に結合された構成要素として実装することもできる。さらに、１つまたは複数の構成要素を組み合わせて、集約機能を提供する単一の構成要素にすることができることに留意されたい。たとえば、信号電力モジュール５１８は、単一の構成要素によって送信電力レベルに基づいて送信電力レベルおよび干渉レベルおよび／または干渉コミットメントレベルを判定することを円滑にするために計算モジュール２１２を含むことができ、またその逆も同様である。構成要素はまた、特に本明細書に記載されていないが当業者に知られている１つまたは複数の他の構成要素と相互作用することができる。
【００８７】
さらに、理解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイズ信念ネットワーク（Ｂａｙｅｓｉａｎ  ｂｅｌｉｅｆ  ｎｅｔｗｏｒｋｓ）、ファジィ論理、データ融合エンジン、クラシファイヤなど）を含むか、またはそれらからなる。そのような構成要素は、特に、および本明細書ですでに説明したものに加えて、システムおよび方法の部分をより適応的ならびに効率的で知的にするために、それによって実行されるいくつかの機構またはプロセスを自動化することができる。
【００８８】
上記で説明した例示的なシステムに鑑みて、開示する主題に従って実施できる方法は、図７〜図１２のフローチャートを参照すればより良く理解されることになる。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことが理解および諒解されるべきである。さらに、以下で説明する方法を実施するために、図示されたすべてのブロックが必要とされるわけではない。さらに、以下および本明細書の全体にわたって開示する方法は、そのような方法をコンピュータに移送および転送することを円滑にする製造品に記憶することが可能であることをさらに理解すべきである。使用する製造品という用語は、任意のコンピュータ可読デバイス、キャリアに関連するデバイス、または記憶媒体からアクセス可能なコンピュータプログラムを包含するものとする。
【００８９】
図７に、モバイルＡＮのＯＴＡ干渉を管理する例示的な方法７００のフローチャートを示す。７０２において、方法７００は、ＩＡＲメッセージをバックホールネットワークを介して隣接ＡＰに送信する。ＩＡＲメッセージは、隣接ＡＰおよび／または隣接ＡＰによってサービスされるＡＴのＦＬおよび／またはＲＬ送信を低減する要求それぞれを備えることができる。さらに、ＩＡＲメッセージは、ＩＡＲメッセージを観測すべき優先レベルを指定することができる（たとえば、そのような優先順位は、選択されたＡＴのデータフローのＱｏＳレベルに少なくとも部分的に基づく）。本開示のいくつかの態様によれば、ＩＡＲメッセージはさらに、送信電力を低減すべき１つまたは複数のチャネルリソースを指定することができる（たとえば、（１つまたは複数の）リソースは、（１つまたは複数の）タイムスロット、サブバンド、インターレース、および／または同様のものを備えることができる）。さらに他の態様によれば、ＩＡＲはさらに、送信低減要求が有効である時間期間を指定することができる。さらに、ＩＡＲは、（たとえば、隣接ＡＰが干渉を低減するために適切な送信電力レベルをより良く判定できるように、または識別されたＡＴとの干渉を回避するためにビームフォーミングまたは指向性ビームなどの空間技法を使用するために）指定されたリソースに対してスケジュールすべきＡＴを識別することができる。
【００９０】
７０４において、方法７００は、ＩＡＲへの応答を受信する。応答は、少なくとも１つのワイヤレス送信機の干渉コミットメントを表すことができる。ワイヤレス送信機は、隣接ＡＰあるいは隣接ＡＰによってサービスされる１つまたは複数のＡＴを備えることができる。さらに、干渉コミットメントは、隣接ＡＰ／（１つまたは複数の）ＡＴの送信電力レベル、送信電力レベルから判定される累積干渉レベル、および選択されたＡＴ、ＳＮＲなどによって与えられる信号品質基準またはそれらの組合せとすることができる。
【００９１】
７０６において、方法７００は、（たとえば、ＲＬデータ送信に関して）選択されたＡＴの干渉コミットメント、または（たとえば、ＦＬデータ送信に関して）ＡＴに通信可能に結合されたサービングＡＰの干渉コミットメントに少なくとも部分的に基づいて送信電力を判定する。
【００９２】
図８に、順方向リンク（ＦＬ）および逆方向リンク（ＲＬ）ＩＡＲメッセージにバックホールネットワークを使用するための例示的な方法８００のフローチャートを示す。８０２において、方法８００は、ＩＡＲをバックホールネットワークを介して送信する。ＡＴにおいて観測される有意レベルの干渉の識別に基づいてＩＡＲを開始することができる。ＡＴにおいて受信されるチャネル品質報告から干渉および干渉を引き起こしている送信機を判定することができる。信号品質報告を取得することによって、ＩＡＲを生成し、干渉源に向けることができる。さらに、ＩＡＲは、以下で説明するように、方法８００によって判定される他の情報を含むことができる。
【００９３】
８０４において、ＩＡＲに応答して干渉コミットメントレベルを受信し、送信電力を判定する。バックホールネットワークを介してまたはＯＴＡで干渉レベルを受信できる。さらに、送信電力は、ＩＡＲがＲＬ干渉低減用かＦＬ干渉低減用かに基づき、８０６においてこれを判定する。ＩＡＲがＦＬ干渉用の場合、方法８００は８０８に進む。ＲＬ干渉用の場合、方法８００は８１４に進む。
【００９４】
８０８において、方法８００は、品質インジケータをＡＴに要求する。品質インジケータは、ＡＴによって観測される瞬時のチャネル品質情報を備えることができる。８１０において、方法８００は、品質インジケータ情報を使用して、ＩＡＲに応答して受信される干渉コミットメントに少なくとも部分的に基づいて、ＡＴにおいて観測されるＳＮＲを判定する。８１２において、方法８００は、ＳＮＲまたは干渉コミットメントレベルを利用して送信電力を判定する。
【００９５】
８１４において、方法８１４は、観測されたＩｏＴレベルと予想されるＩｏＴレベルとのＩｏＴ比を判定し、（１つまたは複数の）相対ＩｏＴレベルをＩＡＲに含める。８１６において、同じくデータフロー優先レベルを判定し、ＩＡＲに含める。８１８において、ＩＡＲ応答の干渉基準を取得する。８２０において、ＡＴのデータフローの優先レベルおよび干渉基準に少なくとも部分的に基づいてＡＴにパケット形式を割り当てる。８２２において、ＡＴから（たとえば、優先レベルおよび干渉ＡＰのデータフローの緊急レベルに基づいてＡＴにおいて判定される）ＡＴ送信電力を取得する。８２４において、たとえば、ＡＴからまたはバックホールネットワークを介して干渉ＡＰの電力送信レベルを取得する。８２６において、ＡＴの電力密度プロファイル（ＰＤＰ）またはＳＮＲを計算する。８２８において、ＳＮＲまたはＰＤＰに基づいてＡＴのＲＬデータをスケジュールする。ＩＡＲで指定された特定のチャネルリソースまたは特定の時間期間に対してＲＬデータをスケジュールすることができる。
【００９６】
図９に、１つまたは複数の態様による、ＩＡＲに応答するための例示的な方法９００のフローチャートを示す。９０２において、方法９００は、バックホールネットワークを介してＩＡＲメッセージを受信する。９０４において、ＩＡＲメッセージに従うべきかどうかに関する判定を行う。メッセージに従う判定は、サービングＡＰおよび／またはサービスされるＡＴのデータフローの緊急レベルと比較して、ＩＡＲの優先レベルに少なくとも部分的に基づくことができる。９０６において、判定の結果を示すＩＡＲへの応答を与える。バックホールネットワークを介して、またはサービスされるＡＴを介してＯＴＡで応答を送信することができる。さらに、結果は、ＦＬ  ＩＡＲ要求の場合、サービングＡＰの送信電力レベルを含み、またはＲＬ  ＩＡＲ要求の場合、干渉コミットメントレベルを含むことができる。送信電力レベルは、１つまたは複数のＡＴのデータフローの緊急レベルと比較してＩＡＲの優先レベルに基づいて判定できる。干渉コミットメントレベルは、隣接ＡＰのＡＴから取得される信号品質リソースインジケータに基づいて計算できる。そのようなインジケータは、ＩＡＲを送信するＡＰにおけるＡＴの干渉のレベルを与えることができ、信号品質リソースを与えるＡＴにおける干渉への送信電力レベルのマッピングを可能にする。
【００９７】
図１０に、ワイヤレスＡＰ間で少なくとも部分的にバックホールネットワークを利用してＲＬおよびＦＬ  ＩＡＲ要求に応答するための例示的な方法のフローチャートを示す。１００２において、方法１０００はＩＡＲ要求を受信する。ワイヤレスＡＮのワイヤレスＡＰを結合するバックホールネットワークを介して、または隣接セルのＡＴからＯＴＡで要求を配信することができる。１００４において、ＩＡＲがＦＬ送信に関するかＲＬ送信に関するかに関する判定を行う。ＦＬ送信の場合、方法１０００は１００６に進む。他の場合、方法１０００は１０１２に進む。
【００９８】
１００６において、方法１０００は、ＩＡＲからＡＰ送信電力を低減する要求を取得する。要求は、電力低減を実施すべき１つまたは複数のリソースチャネル、電力低減を維持すべき、ＩＡＲに関連する有効期間などを指定することができる。要求はさらに、（たとえば、要求元エンティティのＱｏＳ要件に基づいて）要求優先順位を示すことができる。１００８において、本明細書で説明するように、方法１０００はＡＰの送信電力を計算する。１０１０において、ＩＡＲに応答して送信電力を与える電力決定信号を送信する。信号は、ＩＡＲに関連するＡＴに与えられるか、またはバックホールネットワークを介してＩＡＲを発行するＡＰに与えられる。
【００９９】
１０１２において、方法１０００は、ＩＡＲから１つまたは複数のＡＴの送信電力を低減する要求を取得する。要求は、本明細書で説明するように、要求の有効期間、電力低減のための１つまたは複数のリソースチャネル、および／または要求優先レベルを備えることができる。１０１４において、方法１０００は、ＩＡＲに関連するＡＴから信号／チャネル品質報告を取得する。品質報告は、ＩＡＲを発行するＡＰにおいて観測される干渉レベルを指定することができる。１０１６において、品質報告中の干渉レベルを利用して、発行元ＡＰに干渉するＡＴの干渉コミットメントレベルを計算する。１０１８において、バックホールネットワークを介して、またはＩＡＲに関連するＡＴを介してＯＴＡでコミットメントレベルを発行元ＡＰに提出する。１０２０において、信号／チャネル品質情報に少なくとも部分的に基づいて、干渉コミットメントレベルを満たすために必要とされる送信電力を計算する。１０２２において、計算された送信電力に対応する干渉ＡＴのＲＬデータスケジュールをＡＴに転送する。
【０１００】
図１１に、未完の計画または無計画ワイヤレスＡＮのためのＦＬバックホールＩＡＲメッセージを円滑にするための例示的な方法１１００のフローチャートを示す。１１０２において、方法１１００は、サービングＡＰに品質報告を与える。品質報告は、チャネル干渉情報を示すデータ、またはチャネル干渉情報をワイヤレス送信機の送信電力にマッピングするのに適したデータを与えることができる。品質報告は、周期的に、散発的に（たとえば、しきい値干渉を判定するときに）、またはＡＰの要求時に与えることができる。１１０４において、方法１１００は、与えられた品質報告に少なくとも部分的に基づいてプリＩＡＲメッセージを受信する。１１０６において、プリＩＡＲをＩＡＲに変換し、干渉ＡＰに転送する。ＩＡＲは、ＩＡＲの有効期間、送信電力を低減する要求、電力低減を実施すべきリソースチャネルおよび／または同様のものを備えることができる。１１０８において、方法１１００は、隣接ＡＰからＲＬ電力決定を取得する。１１１０において、方法１１００は、サービングＡＰからリソース品質要求を受信する。１１１２において、方法１１００は、リソース品質要求に応答し、要求に基づいてサービングＡＰのＳＮＲおよび／またはＰＤＰを示す。
【０１０１】
図１２に、本開示の１つまたは複数の態様による、ＲＬ干渉回避を円滑にするための例示的な方法１２００のフローチャートを示す。１２０２において、方法１２００は、サービングＡＰからＲＬデータに対する緊急レーティングを取得する。１２０４において、方法１２００は、隣接ＡＰからＩＡＲ優先レベルを備えるＩＡＲ要求を受信する。１２０６において、緊急レーティングおよび／またはＩＡＲ優先レベルに少なくとも部分的に基づいて送信電力を判定する。１２０８において、送信電力レベルをサービングＡＰに転送する。１２１０において、本明細書で説明するように、送信レベルから判定される予想されるＳＮＲに少なくとも部分的に基づいてＲＬ送信スケジュールを取得する。１２１２において、ＲＬ送信スケジュールに従ってＲＬデータを送信する。
【０１０２】
図１３に、モバイルＡＮにおいて少なくとも部分的にバックホールネットワークを利用して干渉回避を行う例示的なシステム１３００のブロック図を示す。システム１３００は、モバイルＡＮのセルのＦＬまたはＲＬ上での干渉を識別するための手段１３０２を備えることができる。さらに、システム１３００は、干渉通信を円滑にするためにＡＰバックホールネットワークを使用するための手段１３０４を備えることができる。たとえば、少なくとも部分的にバックホールネットワークを使用して、送信電力コミットメントを生成し、そのようなコミットメントをモバイルＡＮの隣接セルに送信することができる。代替的に、または追加として、通信は、１つまたは複数のワイヤレスリソース上の干渉を低減する明示的要求を備えることができ、明示的要求は、随意に、リソース、そのような要求の優先順位または要求の継続期間を指定することができる。
【０１０３】
図１４に、ワイヤレスＡＮにおいてＲＬまたはＦＬ干渉回避を円滑にするシステム１４００の例示的なブロック図を示す。システム１４００は、干渉通信に関与するための手段１４０２を備えることができる。少なくとも部分的に、ワイヤレスＡＮの２つ以上のセルを結合するバックホールネットワークを介して、手段１４０２によって干渉通信を行うことができる。いくつかの態様では、干渉通信は、ワイヤレスＡＮの隣接セルの変更送信電力、またはワイヤレスＡＮのサービングセル上の干渉を低減する明示的要求を備えることができる。さらに、明示的要求は、本開示のいくつかの態様では、干渉低減のための１つまたは複数のチャネルリソース、明示的要求の優先順位、およびそのような要求の有効期間を備えることができる。さらに、システム１４００は、それぞれ、変更送信電力に基づいてサービングセルのスケジューリングポリシーを実施する、または明示的要求に従うべきかどうかを判定する、ための手段１４０４を備えることができる。そのような手段は、スケジューリングポリシーを使用して、モバイル通信ネットワークにおいてＦＬまたはＲＬ送信をスケジュールすることができる。代替的に、または追加として、手段１４０４は、要求に従うべきかどうかを判定する際に、少なくとも部分的にサービングセルのトラフィックフローの優先レベルと比較して明示的要求の優先順位を使用することができる。いくつかの態様では、システム１４００は、本明細書で説明するように、変更送信電力に関して、または干渉を低減する明示的要求に関して隣接セルに応答を与えるための手段１４０６を（破線で示すように）随意に備えることができる。
【０１０４】
図１５に、ワイヤレスＡＮにおける干渉回避を円滑にするのに適した例示的なシステム１５００のブロック図を示す。システム１５００は、ワイヤレスチャネル品質報告を生成するための手段１５０２を備えることができる。品質報告は、ワイヤレストランシーバにおいて観測される、ワイヤレスＡＮのセルの瞬時チャネル品質に関係する情報を備えることができる。そのような情報は、たとえば、１つまたは複数の識別された送信機からの干渉のレベル、干渉を受けるチャネルリソース、干渉エンティティの推定された送信電力、１つまたは複数の識別された送信機に対する信号パスロス、あるいはそれらまたは同様のものの組合せを含むことができる。システム１５００はさらに、ワイヤレスチャネル品質報告をワイヤレスＡＮのサービングセルに提出するための手段１５０２を備えることができる。品質報告の提出は、少なくとも部分的に、そのようなセルを結合するバックホールネットワークを通してセルとサービングセルとの間の干渉管理を円滑にすることができる。いくつかの態様では、手段１５０２は、周期的に、散発的に、または要求を受信すると品質報告を提出することができる。
【０１０５】
図１６に、ワイヤレスＡＮのＲＬ送信の干渉低減を円滑にすることができる例示的なシステム１６００のブロック図を示す。システム１６００は、ワイヤレスＡＮのサービングセルから信号を取得するための手段１６０２を備えることができる。手段１６０２は、たとえば、受信アンテナならびに信号を復号するための受信プロセッサを備えることができる。いくつかの態様では、信号は、サービングセルの送信電力コミットメント、または干渉を低減するための隣接セルの明示的要求を備えることができる。干渉のそのような低減は、ＦＬまたはＲＬワイヤレス通信チャネルの１つまたは複数のリソースに関係する。システム１６００はさらに、信号を隣接セルにＯＴＡで転送するための手段１６０４を備えることができる。特に、サービングセルと隣接セルとの間で少なくとも部分的にバックホールを介して後続の干渉回避を円滑にするために信号をＯＴＡで転送することができる。
【０１０６】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
【図１】
2011512083.tif 000003
【図２】
2011512083.tif 000004
【図３】
2011512083.tif 000005
【図４】
2011512083.tif 000006
【図５】
2011512083.tif 000007
【図６】
2011512083.tif 000008
【図７】
2011512083.tif 000009
【図８】
2011512083.tif 000010
【図９】
2011512083.tif 000011
【図１０】
2011512083.tif 000012
【図１１】
2011512083.tif 000013
【図１２】
2011512083.tif 000014
【図１３】
2011512083.tif 000015
【図１４】
2011512083.tif 000016
【図１５】
2011512083.tif 000017
【図１６】
2011512083.tif 000018
【国際調査報告】
2011512083.tif 000019
2011512083.tif 000020
2011512083.tif 000021